(57)【特許請求の範囲】
【請求項１】
表示部と、
被写体を撮像して画像データを生成する撮像部と、
上記撮像部により生成された上記画像データに基づき、どのような上記被写体を撮影する撮影状況にあるのかを当該被写体が人物であるか人物以外の他対象物であるかの区別を含めて判断する撮影状況判断部と、
上記撮影状況判断部により上記撮影状況が判断されると、当該判断された上記撮影状況で設定可能な撮影条件を示す１又は複数の撮影条件アイコンを上記表示部に表示するようにして、上記撮影状況判断部により上記人物を撮影する上記撮影状況にあると判断された際には、上記表示部に上記撮影条件アイコンとして当該人物の撮影用の上記撮影条件を示す人物撮影条件アイコンを表示する表示制御部と
を具える撮影条件設定装置。
【請求項２】
上記撮影状況判断部は、
上記撮像部により生成された上記画像データに基づき、当該画像データに基づく画像に写っている上記人物の顔を検出する顔検出部と、
上記顔検出部により上記画像に写っている上記人物の顔が検出されると、上記被写体として上記人物を撮影する上記撮影状況にあると判断し、上記顔検出部により上記画像から上記人物の顔が検出されないと、上記被写体として上記他対象物を撮影する上記撮影状況にあると判断する判断部と
を具え、
上記表示制御部は、
上記判断部により上記他対象物を撮影する上記撮影状況にあると判断されると、上記表示部に上記撮影条件アイコンとして当該他対象物の撮影用の上記撮影条件を示す他対象物撮影条件アイコンを表示する
請求項１に記載の撮影条件設定装置。
【請求項３】
上記表示制御部は、
上記判断部により上記人物を撮影する上記撮影状況にあると判断されると、上記表示部に上記画像データに基づく上記画像として上記人物の顔が写っている人物画像を表示すると共に、上記人物に個別に適用可能な上記撮影条件を示す上記人物撮影条件アイコンを表示し、上記判断部により上記他対象物を撮影する上記撮影状況にあると判断されると、上記表示部に上記画像データに基づく上記画像として上記他対象物が写っている他対象物画像を表示すると共に、上記他対象物撮影条件アイコンを表示する
請求項２に記載の撮影条件設定装置。
【請求項４】
上記表示制御部は、
上記判断部により上記人物を撮影する上記撮影状況にあると判断されると、上記表示部に上記人物画像を表示すると共に、当該人物画像に複数の上記人物撮影条件アイコンを重ねて一列に表示し、上記判断部により上記他対象物を撮影する上記撮影状況にあると判断されると、上記表示部に上記他対象物画像を表示すると共に、当該他対象物画像に複数の上記他対象物撮影条件アイコンを重ねて一列に表示する
請求項３に記載の撮影条件設定装置。
【請求項５】
上記顔検出部は、
上記撮像部により生成された上記画像データに基づき、当該画像データに基づく画像に写っている人物の顔を、当該人物の種別と共に検出し、
上記表示制御部は、
上記判断部により上記人物を撮影する上記撮影状況にあると判断されると、上記表示部に上記人物画像を表示すると共に、当該人物画像に上記人物の種別に応じて当該人物に個別に適用可能な上記撮影条件を示す複数の上記人物撮影条件アイコンを重ねて一列に表示する
請求項４に記載の撮影条件設定装置。
【請求項６】
上記表示部に表示された複数の上記人物撮影条件アイコンの表示形態の変更を指示するために用いられる変更指示部
を具え、
上記表示制御部は、
上記表示部に上記人物画像を表示すると共に、当該人物画像に複数の上記人物撮影条件アイコンを重ねて一列に表示した状態で、上記変更指示部を介して上記表示形態の変更が指示されると、複数の上記人物撮影条件アイコンを、それぞれ当該人物撮影条件アイコンが示す上記撮影条件を適用可能な上記人物の顔に近接させて表示する
請求項５に記載の撮影条件設定装置。
【請求項７】
上記表示部に表示された上記撮影条件アイコンを指示するために用いられるアイコン指示部と、
上記アイコン指示部を介して上記撮影条件アイコンが指示されると、当該指示された上記撮影条件アイコンが示す上記撮影条件を設定する設定部と
を具え、
上記設定部は、
上記表示制御部により、上記表示部に上記人物画像が表示されると共に、当該人物画像に複数の上記人物撮影条件アイコンが重ねられて一列に表示された場合、上記アイコン指示部を介して上記人物撮影条件アイコンと、当該人物撮影条件アイコンが示す上記撮影条件を適用させる上記人物の顔とが指示されると、当該指示された上記人物撮影条件アイコンが示す上記撮影条件を、当該指示された上記人物に適用して設定する
請求項６に記載の撮影条件設定装置。
【請求項８】
上記設定部は、
上記表示制御部により、上記表示部に上記人物画像が表示されると共に、当該人物画像に複数の上記人物撮影条件アイコンが重ねられて一列に表示された場合、上記アイコン指示部を介して上記人物撮影条件アイコンと、当該人物撮影条件アイコンが示す上記撮影条件を適用させる上記人物の顔とが個別に指示されると、当該指示された上記人物撮影条件アイコンが示す上記撮影条件を、当該指示された上記人物に適用して設定する
請求項７に記載の撮影条件設定装置。
【請求項９】
上記表示制御部は、
上記表示部に上記人物画像を表示すると共に、当該人物画像に複数の上記人物撮影条件アイコンを重ねて一列に表示した場合、上記アイコン指示部を介して指示された上記人物撮影条件アイコンを、当該アイコン指示部に対する操作に応じて上記人物画像上で移動させ、
上記設定部は、
上記表示制御部により、上記表示部に上記人物画像が表示されると共に、当該人物画像に複数の上記人物撮影条件アイコンが重ねられて一列に表示された場合、上記アイコン指示部を介して指示された上記人物撮影条件アイコンが当該アイコン指示部に対する操作に応じて上記人物の顔に重なるまで移動すると、当該指示された上記人物撮影条件アイコンが示す上記撮影条件を、当該人物撮影条件アイコンが重ねられた上記人物に適用して設定する
請求項８に記載の撮影条件設定装置。
【請求項１０】
上記設定部は、
上記表示制御部により、上記表示部に上記人物画像が表示されると共に、当該人物画像に複数の上記人物撮影条件アイコンが、それぞれ当該人物撮影条件アイコンが示す上記撮影条件を適用可能な上記人物の顔に近接させて表示された場合、上記アイコン指示部を介して上記人物撮影条件アイコンが指示されると、当該指示された上記人物撮影条件アイコンが示す上記撮影条件を、当該指示された上記人物撮影条件アイコンが近接する顔の上記人物に適用して設定する
請求項９に記載の撮影条件設定装置。
【請求項１１】
被写体を撮像して画像データを生成する画像生成ステップと、
上記生成した上記画像データに基づき、どのような上記被写体を撮影する撮影状況にあるのかを当該被写体が人物であるか人物以外の他対象物であるかの区別を含めて判断する撮影状況判断ステップと、
上記撮影状況を判断すると、当該判断した上記撮影状況で設定可能な撮影条件を示す１又は複数の撮影条件アイコンを表示部に表示するようにして、上記人物を撮影する上記撮影状況にあると判断した際には、上記表示部に上記撮影条件アイコンとして当該人物の撮影用の上記撮影条件を示す人物撮影条件アイコンを表示する表示ステップと
を具える撮影条件設定方法。
【請求項１２】
コンピュータに
被写体を撮像して画像データを生成する画像生成ステップと、
上記生成した上記画像データに基づき、どのような上記被写体を撮影する撮影状況にあるのかを当該被写体が人物であるか人物以外の他対象物であるかの区別を含めて判断する撮影状況判断ステップと、
上記撮影状況を判断すると、当該判断した上記撮影状況で設定可能な撮影条件を示す１又は複数の撮影条件アイコンを表示部に表示するようにして、上記人物を撮影する上記撮影状況にあると判断した際には、上記表示部に上記撮影条件アイコンとして当該人物の撮影用の上記撮影条件を示す人物撮影条件アイコンを表示する表示ステップと
を実行させるための撮影条件設定プログラム。
【発明の詳細な説明】
【技術分野】
【０００１】
本発明は撮影条件設定装置、撮影条件設定方法及び撮影条件設定プログラムに関し、例えば、デジタルスチルカメラと、撮影条件提供装置とから構築された撮影システムに適用して好適なものである。
【背景技術】
【０００２】
従来の撮像システムにおいてデジタルカメラは、被写体の撮影時、ＧＰＳ（Global  Positioning  System）モジュールにより取得した現在位置情報（緯度、経度）をサーバ装置に送信する。
【０００３】
また撮像システムにおいてサーバ装置は、デジタルカメラから送信された現在位置情報を受信すると、データベースから、その現在位置情報に対応する複数のベストショット画像を検索してデジタルカメラに送信する。
【０００４】
さらにデジタルカメラは、サーバ装置から送信された複数のベストショット画像を受信すると、当該複数のベストショット画像から、現在の日時、天候及びデジタルカメラの光学レンズの向きに対応する複数のベストショット画像を絞り込む。
【０００５】
さらにデジタルカメラは、ユーザに、その絞り込んだ複数のベストショット画像を提示し、所望のベストショット画像が選択されると、当該選択されたベストショット画像を表示部に表示する。
【０００６】
さらにまたデジタルカメラは、その選択されたベストショット画像に付加されている、当該ベストショット画像と同等の画像を得るための撮影条件を示す制御情報を、画像処理回路や制御部に設定する。
【０００７】
これによりデジタルカメラは、表示部に表示したベストショット画像を参照させて、撮影範囲が、そのベストショット画像となるように当該デジタルカメラを構えさせてシャッタキーを操作させる。
【０００８】
このようにしてデジタルカメラは、例えば、観光地の建築物を、過去の撮影を再現させるように撮影させて、ベストショット画像と同等の構図や色合い等の画像を生成し記録していた（例えば、特許文献１参照）。
【先行技術文献】
【特許文献】
【０００９】
【特許文献１】特開２００３−３４８５１９公報（第４頁、第５頁、第６頁、図６）
【発明の概要】
【発明が解決しようとする課題】
【００１０】
ところで、かかる構成の撮像システムにおいてデジタルカメラは、建築物を被写体とした撮影にのみ使用されるわけではなく、人物を被写体とした撮影にも使用される。
【００１１】
ところが、撮像システムでは、サーバ装置からデジタルカメラへ、単にそのデジタルカメラの現在位置に対応するベストショット画像を送信している。そして撮像システムでは、デジタルカメラによりユーザに、現在位置で建築物を撮影するために選択可能な撮影条件を、当該撮影条件で得られたベストショット画像として提示している。
【００１２】
このため撮像システムでは、デジタルカメラで被写体として建築物を撮影するような撮影状況のみならず、被写体として人物を撮影するような撮影状況でも、建築物を撮影するための撮影条件を提示する場合がある。
【００１３】
よって撮像システムは、デジタルカメラのユーザに、被写体として建築物を撮影するような撮影状況や人物を撮影するような撮影状況に応じて、その撮影状況に合った撮影条件を提示して的確に設定することができないと言う問題があった。
【００１４】
本発明は以上の点を考慮してなされたもので、撮影状況に合った所望の撮影条件を的確に設定し得る撮影条件設定装置、撮影条件設定方法及び撮影条件設定プログラムを提案しようとするものである。
【課題を解決するための手段】
【００１５】
かかる課題を解決するため本発明においては、被写体を撮像して画像データを生成し、当該生成した画像データに基づき、どのような被写体を撮影する撮影状況にあるのかを当該被写体が人物であるか人物以外の他対象物であるかの区別を含めて判断して、当該判断した撮影状況で設定可能な撮影条件を示す１又は複数の撮影条件アイコンを表示部に表示するようにして、人物を撮影する撮影状況にあると判断した際には、表示部に撮影条件アイコンとして当該人物の撮影用の撮影条件を示す人物撮影条件アイコンを表示するようにした。
【００１６】
従って本発明では、撮影状況に応じて、その撮影状況に合った撮影条件を撮影条件アイコンとして選択させるようにして、特に人物を撮影する撮影状況にあると判断した際には、当該人物の撮影用の撮影条件を人物撮影条件アイコンとして選択させることができる。
【発明の効果】
【００１７】
本発明によれば、被写体を撮像して画像データを生成し、当該生成した画像データに基づき、どのような被写体を撮影する撮影状況にあるのかを当該被写体が人物であるか人物以外の他対象物であるかの区別を含めて判断して、当該判断した撮影状況で設定可能な撮影条件を示す１又は複数の撮影条件アイコンを表示部に表示するようにして、人物を撮影する撮影状況にあると判断した際には、表示部に撮影条件アイコンとして当該人物の撮影用の撮影条件を示す人物撮影条件アイコンを表示するようにしたことにより、撮影状況に応じて、その撮影状況に合った撮影条件を撮影条件アイコンとして選択させるようにして、特に人物を撮影する撮影状況にあると判断した際には、当該人物の撮影用の撮影条件を人物撮影条件アイコンとして選択させることができ、かくして撮影状況に合った所望の撮影条件を的確に設定し得る撮影条件設定装置、撮影条件設定方法及び撮影条件設定プログラムを実現することができる。
【図面の簡単な説明】
【００１８】
【図１】本発明による撮影システムの全体構成の一実施の形態を示す略線図である。
【図２】デジタルスチルカメラの外観構成を示す略線図である。
【図３】デジタルスチルカメラの回路構成を示すブロック図である。
【図４】人物撮影条件アイコンの表示（１）の説明に供する略線図である。
【図５】人物撮影条件の選択（１）の説明に供する略線図である。
【図６】人物撮影条件の選択（２）の説明に供する略線図である。
【図７】人物撮影条件アイコンの表示（２）の説明に供する略線図である。
【図８】他対象物撮影条件アイコンの表示の説明に供する略線図である。
【図９】撮影条件提供装置の回路構成を示すブロック図である。
【図１０】撮影条件設定処理手順（１）を示すフローチャートである。
【図１１】撮影条件設定処理手順（２）を示すフローチャートである。
【発明を実施するための形態】
【００１９】
以下、発明を実施するための最良の形態（以下、これを実施の形態とも呼ぶ）について説明する。なお、説明は以下の順序で行う。
１．実施の形態
２．変形例
【００２０】
＜１．実施の形態＞
［１−１  撮影システムの全体構成］
図１において、１は全体として本発明を適用した撮影システムを示す。撮影システム１においてデジタルスチルカメラ２は、例えば、被写体として人物を写真撮影するような撮影状況の場合、ユーザに人物の写真撮影用に設定可能な１又は複数の撮影条件を提示する。
【００２１】
そして撮影システム１においてデジタルスチルカメラ２は、ユーザに提示した１又は複数の撮影条件の中から当該ユーザによって選択された撮影条件を設定して人物を写真撮影し得るようになされている。
【００２２】
因みに、以下の説明では、被写体として人物を撮影するような撮影状況を、特に人物撮影状況とも呼ぶ。また、以下の説明では、人物撮影状況で設定可能な、人物の写真撮影用の撮影条件を、特に人物撮影条件とも呼ぶ。
【００２３】
また撮影システム１において撮影条件提供装置３は、多数のユーザから建築物及び展示物のような人工物や、山、川及び海のような自然物を写真撮影して得られた写真画像と共に、その写真撮影時の撮影条件を取得している。因みに、以下の説明では、人物以外の写真撮影の対象（被写体）としての人工物や自然物を、まとめて他対象物とも呼ぶ。
【００２４】
そして撮影システム１においてデジタルスチルカメラ２は、被写体として他対象物を撮影するような撮影状況の場合、インターネットのようなネットワーク４を介して撮影条件提供装置３と通信する。
【００２５】
これにより撮影システム１において撮影条件提供装置３は、デジタルスチルカメラ２に、他対象物の写真撮影用に設定可能な１又は複数の撮影条件を提供して、当該デジタルスチルカメラ２によりユーザに１又は複数の撮影条件を提示させる。
【００２６】
そして撮影システム１においてデジタルスチルカメラ２は、ユーザに提示した１又は複数の撮影条件の中から当該ユーザによって選択された撮影条件を設定して他対象物を写真撮影し得るようになされている。
【００２７】
因みに、以下の説明では、被写体として他対象物を撮影するような撮影状況を、特に他対象物撮影状況とも呼ぶ。また、以下の説明では、他対象物撮影状況で設定可能な、他対象物の写真撮影用の撮影条件を、特に他対象物撮影条件とも呼ぶ。
【００２８】
［１−２  デジタルスチルカメラ２の外観構成］
次いで、図２（Ａ）及び（Ｂ）を用いて、デジタルスチルカメラ２の外観構成について説明する。デジタルスチルカメラ２は、片手で把持し得る程度の大きさでなる略偏平矩形状の筐体１０を有している。
【００２９】
筐体１０の前面１０Ａには、その上部に、撮影レンズ１１、オートフォーカス（AF：Auto  Focus）イルミネータ１２、フラッシュ１３が設けられている。因みに、オートフォーカスイルミネータ１２は、セルフタイマランプも兼ねている。
【００３０】
また前面２Ａには、レンズカバー１４が上方向及び下方向にスライド可能に取り付けられている。これにより筐体１０は、レンズカバー１４が下方向にスライドした場合、撮影レンズ１１、オートフォーカスイルミネータ１２及びフラッシュ１３を露出させ得るようになされている。
【００３１】
また筐体１０は、レンズカバー１４が上方向にスライドした場合、撮影レンズ１１、オートフォーカスイルミネータ１２及びフラッシュ１３を覆い、外部から保護し得るようになされている。因みに、デジタルスチルカメラ２は、電源のオフ状態でレンズカバー１４が下方向にスライドした場合、これに応じて自動的に電源をオンし得るようにもなされている。
【００３２】
また筐体１０の背面１０Ｂには、タッチスクリーン１５が設けられている。このタッチスクリーン１５は、例えば、ディスプレイの表面にタッチパネルが貼着されて構成されている。
【００３３】
これによりタッチスクリーン１５は、ディスプレイに対する指やスタイラスペン等によるタッチ操作を可能にし得る表示デバイスとして機能する。因みに、ディスプレイは、例えば、液晶ディスプレイでなる。
【００３４】
さらに筐体１０の上面１０Ｃには、ズームレバー１６、シャッタボタン１７、再生ボタン１８及び電源ボタン１９が配置されている。因みに、再生ボタン１８は、デジタルスチルカメラ２の動作モードを、写真画像を再生してタッチスクリーン１５に表示する再生モードに切り替える為のハードウェアキーである。
【００３５】
かかる構成によりデジタルスチルカメラ２は、レンズカバー１４が下方向にスライドされ、又は電源ボタン１０が押下操作されると、電源をオンして、撮影モードで起動する。
【００３６】
デジタルスチルカメラ２は、撮影モード時、撮影レンズ１１を介して被写体を、撮影範囲や構図、フォーカス等の撮影状態の確認用に連続撮影して、動画像としての撮影状態提示画像を生成しタッチスクリーン１５に表示する。
【００３７】
またデジタルスチルカメラ２は、この際、ズームレバー１６に対する傾斜操作やタッチスクリーン１５に対するタッチ操作に応じてズーム（ＴＥＬＥ／ＷＩＤＥ）を行う。このようにしてデジタルスチルカメラ２は、タッチスクリーン１５に表示した撮影状態提示画像によって、ユーザに被写体の撮影状態を確認させることができる。
【００３８】
この状態でデジタルスチルカメラ２は、シャッタボタン１７が押下操作されると、その時点に撮影レンズ１１を介して被写体を写真撮影して写真画像を生成し記録する。
【００３９】
さらにデジタルスチルカメラ２は、再生ボタン１８が押下操作されると、撮影モードから再生モードに移行する。この際、デジタルスチルカメラ２は、すでに記録している写真画像のうち例えば１つをディスプレイに表示する。そしてデジタルスチルカメラ２は、タッチスクリーン１５に対するタッチ操作に応じて、これに表示する写真画像を切り替える。
【００４０】
このようにしてデジタルスチルカメラ２は、被写体を写真撮影して写真画像を生成し記録し得ると共に、当該記録した写真画像を再生して表示し見せることができるようになされている。
【００４１】
［１−３  デジタルスチルカメラ２の回路構成］
次いで、図３を用いて、デジタルスチルカメラ２の回路構成について説明する。デジタルスチルカメラ２は、中央処理ユニット（CPU：Central  Processing  Unit）２０を有している。因みに、以下の説明では、デジタルスチルカメラ２に設けられた中央処理ユニット２０を、特にカメラ制御部２０とも呼ぶ。
【００４２】
カメラ制御部２０は、ＲＯＭ（Read  Only  Memory）２１に予め記憶されている各種プログラムを読み出してＲＡＭ（Random  Access  Memory）２２に展開する。そしてカメラ制御部２０は、ＲＡＭ２２上で展開した各種プログラムに従ってデジタルスチルカメラ２全体を制御する。
【００４３】
またカメラ制御部２０は、ＲＡＭ２２上で展開した各種プログラムに従い、タッチスクリーン１５のタッチパネル１５Ａからタッチ操作に応じて入力される入力信号に応じた各種処理を実行する。
【００４４】
さらにカメラ制御部２０は、ＲＡＭ２２上で展開した各種プログラムに従い、操作部２３から押下操作等に応じて入力される入力信号に応じた各種処理も実行する。
【００４５】
実際にタッチパネル１５Ａは、表面の任意の位置が指等でタッチされると、その指等でタッチされている間、格段的に短い一定時間毎に、そのタッチされた位置（すなわち、タッチ位置）の座標を検知する。そしてタッチパネル１５Ａは、表面が指等でタッチされている間、検出したタッチ位置の座標を示す入力信号をカメラ制御部２０に送出する。
【００４６】
カメラ制御部２０は、タッチパネル１５Ａから入力信号が与えられると、当該入力信号に基づきタッチ位置の変移の有無と、タッチの継続時間（以下、これをタッチ継続時間とも呼ぶ）とを検出する。そしてカメラ制御部２０は、これらタッチ位置の変移の有無、及びタッチ継続時間の検出結果に基づき、タッチ操作の種類を判別する。
【００４７】
その結果、カメラ制御部２０は、タッチ位置がほとんど変移せず、またタッチ継続時間が比較的短い所定時間以下であると、このときのタッチ操作が、タッチパネル１５Ａの表面の任意の一点に指等を接触させて直ぐに離すようなタッチ操作であると判別する。
【００４８】
因みに、以下の説明では、タッチパネル１５Ａの表面の任意の一点に指等を接触させて直ぐに離すようなタッチ操作を、特にタップ操作とも呼ぶ。なお、このタップ操作は、ディスプレイ１５Ｂに表示した画像内のボタンやアイコン等を指示して、当該指示したボタンやアイコン等に割り当てられている命令を入力するため等に行われる操作である。
【００４９】
またカメラ制御部２０は、所定時間よりも長いタッチ継続時間をかけてタッチ位置が変移すると、このときのタッチ操作が、タッチパネル１５Ａの表面に指等を接触させたままその指等を動かすようなタッチ操作であると判別する。
【００５０】
因みに、以下の説明では、タッチパネル１５Ａの表面に指等を接触させたまま、その指等を動かすようなタッチ操作を、特に摺動操作とも呼ぶ。なお、この摺動操作は、ディスプレイ１５Ｂに表示した画像内のアイコン等を移動（すなわち、ドラッグ）させるため等に行われる操作である。
【００５１】
さらにカメラ制御部２０は、このとき入力信号が示すタッチ位置の座標を、ディスプレイ１５Ｂに表示した画像内の座標に変換することで、ディスプレイ１５Ｂに表示した画像内のどの位置が指示されたのかを検出する。
【００５２】
これによりカメラ制御部２０は、このときタッチ操作としてタップ操作が行われていると、画像内での一点の指示位置を検出する。またカメラ制御部２０は、このときタッチ操作として摺動操作が行われていると、画像内での指示位置の移動軌跡を検出する。
【００５３】
そしてカメラ制御部２０は、このようにタッチ操作の種類を判別すると共に、画像内での一点の指示位置や、指示位置の移動軌跡を検出すると、これら判別結果及び検出結果に応じて、このときタップ操作や摺動操作によって入力された命令を判別する。そしてカメラ制御部２０は、このようにタップ操作や摺動操作によって入力された命令を判別すると、その判別した命令に応じた処理を実行する。
【００５４】
一方、操作部２３は、上述のズームレバー１６、シャッタボタン１７、再生ボタン１８及び電源ボタン１９を含み、これらの押下操作等に応じた入力信号をカメラ制御部２０に送出する。
【００５５】
カメラ制御部２０は、操作部２３から入力信号が与えられると、その入力信号に基づき、ズームレバー１６、シャッタボタン１７、再生ボタン１８及び電源ボタン１９の何れが操作されたのかを判別する。
【００５６】
またカメラ制御部２０は、その判別結果に応じて、このとき押下操作等によって入力された命令を判別する。そしてカメラ制御部２０は、このように押下操作等によって入力された命令を判別すると、その判別した命令に応じた処理を実行する。
【００５７】
このようにしてカメラ制御部２０は、例えば、操作部２３の電源ボタン１９が押下されて電源をオンすると、又はタッチパネル１５Ａに対するタップ操作により動作モードを撮影モードに切り替えるように指示されると、撮影モードで動作する。
【００５８】
カメラ制御部２０は、撮影モード時、モータドライバ２４を介してアクチュエータ２５を駆動制御して、上述の撮影レンズ１１と共に、絞りやフォーカスレンズ等を含むレンズ部２６において当該絞りの開口量やフォーカスレンズの位置等を調整する。これによりカメラ制御部２０は、撮影範囲に対する露出やフォーカスを自動調整する。
【００５９】
この状態でカメラ制御部２０は、被写体を含む撮影範囲から到来する撮像光を、レンズ部２６を介して撮像素子２７の受光面で受光する。因みに、撮像素子２７は、ＣＣＤ（Charge  Coupled  Device）イメージセンサ、又はＣＭＯＳ（Complementary  Metal  Oxide  Semiconductor）イメージセンサでなる。
【００６０】
この際、カメラ制御部２０は、タイミングジェネレータ２８を制御する。これによりタイミングジェネレータ２８は、タイミング信号を所定周期（例えば、１／３０［秒］周期）で順次、撮像素子２７に送出する。
【００６１】
よって撮像素子２７は、受光面で受光している撮像光を、タイミング信号の入力タイミングで順次光電変換して、その撮像光に応じたアナログの光電変換信号を生成すると共に、当該生成した光電変換信号をアナログ処理部２９に送出する。
【００６２】
アナログ処理部２９は、カメラ制御部２０の制御のもと、撮像素子２７から光電変換信号が与えられる毎に、その光電変換信号に増幅処理のような所定のアナログ処理を施して撮像信号を生成する。
【００６３】
またアナログ処理部２６は、撮像信号を生成する毎に、当該生成した撮像信号を、アナログデジタル変換部３０を介してデジタルの撮像データに変換してデジタル処理部３１に送出する。
【００６４】
デジタル処理部３１は、カメラ制御部２０の制御のもと、アナログデジタル変換部３０から撮像データが与えられる毎に、その撮像データにノイズ低減処理のような所定のデジタル処理を施す。
【００６５】
これによりデジタル処理部３１は、アナログデジタル変換部３０から順次与えられる撮像データに基づき、上述の撮影状態提示画像を構成する時間的に連続な単位画像の単位画像データを生成する。
【００６６】
そしてカメラ制御部２０は、その単位画像データを生成する毎に、当該生成した単位画像データを順次、ディスプレイ１５Ｂに送出する。これによりデジタル処理部３１は、ディスプレイ１５Ｂに、時間的に連続な複数の単位画像データに基づく単位画像を順次切り換えて撮影状態提示画像（すなわち、動画像）として表示する。
【００６７】
このようにしてカメラ制御部２０は、被写体を含む撮影範囲を連続撮影してディスプレイ１５Ｂに撮影状態提示画像を表示すると共に、ユーザに被写体の写真撮影に先立ち、撮影状態提示画像により当該被写体の撮影状態を確認させることができる。
【００６８】
この状態でカメラ制御部２０は、ユーザによりシャッタボタン１７が半押操作され操作部２３から入力信号が与えられると、フォーカス調整命令が入力されたと認識する。このときカメラ制御部２０は、そのフォーカス調整命令の入力に応じてモータドライバ２４を介してアクチュエータ２５を駆動制御する。これによりカメラ制御部２０は、レンズ部２６においてフォーカスレンズの位置を調整して、撮影範囲内の被写体にフォーカスを自動的に合せる。
【００６９】
またカメラ制御部２０は、ユーザにより続けてシャッタボタン１７が全押操作され操作部２３から入力信号が与えられると、撮影命令が入力されたと認識する。このときカメラ制御部２０は、撮影命令の入力に応じてタイミングジェネレータ２８を制御して、撮像光により撮像素子２７の受光面を、予め設定されたシャッタスピードで写真撮影用に露光する。
【００７０】
よって撮像素子２７は、このとき、受光面を露光した撮像光を光電変換して当該露光した撮像光に応じた写真用光電変換信号を生成すると共に、当該生成した写真用光電変換信号をアナログ処理部２９に送出する。
【００７１】
アナログ処理部２９は、撮像素子２７から与えられた写真用光電変換信号に増幅処理のような所定のアナログ処理を施して写真用撮像信号を生成する。またアナログ処理部２９は、その写真用撮像信号を、アナログデジタル変換部３０を介して写真用撮像データに変換してデジタル処理部３１に送出する。
【００７２】
デジタル処理部３１は、この際、アナログデジタル変換部３０から与えられた写真用撮像データに、ノイズ低減処理やシェーディング補正処理等の写真撮影用の所定のデジタル処理を施す。これによりデジタル処理部３１は、被写体を含む撮影範囲を写真撮影して得られる写真画像データを生成する。
【００７３】
またデジタル処理部３１は、その写真画像データにＪＰＥＧ（Joint  Photographic  Experts  Group）方式等の所定の圧縮符号化方式で圧縮符号化処理を施して圧縮画像データを生成する。
【００７４】
さらにデジタル処理部３１は、このとき、その写真画像データに画素を間引く縮小処理を施して、縮小写真画像（以下、これをサムネイルとも呼ぶ）の縮小写真画像データ（以下、サムネイルデータとも呼ぶ）も生成する。そしてデジタル処理部３１は、圧縮画像データを、そのサムネイルデータと共にカメラ制御部２０に送出する。
【００７５】
カメラ制御部２０は、デジタル処理部３１から圧縮画像データ及びサムネイルデータが与えられると、例えば、Ｅｘｉｆ（Exchangeable  image  file  format）に準じて写真画像に関する画像関連情報を格納したヘッダデータを生成する。そしてカメラ制御部２０は、圧縮画像データのヘッダにヘッダデータを付加して画像ファイルを生成する。
【００７６】
ここで、カメラ制御部２０は、デジタル処理部３１から圧縮画像データが与えられたとき、その圧縮画像データをもとに生成する画像ファイルを個別に識別可能な識別情報（例えば、ファイル名である）を生成する。因みに、以下の説明では、画像ファイルを個別に識別可能な識別情報を、ファイル識別情報とも呼ぶ。
【００７７】
またカメラ制御部２０は、ＧＰＳ（Global  Positioning  System）受信機３２を介してＧＰＳ用の人工衛星と通信して、現在のデジタルスチルカメラ２の位置（緯度及び経度で表される位置）を検出し得るようになされている。因みに、以下の説明では、ＧＰＳを利用して検出する現在のデジタルスチルカメラ２の位置を、カメラ位置とも呼ぶ。
【００７８】
そしてカメラ制御部２０は、撮影モード時に撮影命令が入力されると、その入力時点にＧＰＳを利用して現在のカメラ位置を、特に被写体を写真撮影したときの撮影位置として検出する。
【００７９】
さらにカメラ制御部２０は、方位センサ３３により、現在、デジタルスチルカメラ２の撮影レンズ１１（すなわち、撮像光の入射面）が向けられた方位（すなわち、東西南北で表される方位）も検出し得るようになされている。
【００８０】
因みに、以下の説明では、方位センサ３３により検出する現在、デジタルビデオカメラ２の撮影レンズ１１が向けられている方位を、カメラ方向とも呼ぶ。そしてカメラ制御部２０は、撮影モード時に撮影命令が入力されると、その入力時点に方位センサ３３により現在のカメラ方向を、特に被写体を写真撮影したときの撮影方向として検出する。
【００８１】
さらにカメラ制御部２０は、内部のタイマにより現在日時を計時している。そしてカメラ制御部２０は、撮影命令が入力されると、その入力時点の日時を検出し、当該検出した日時を、被写体を写真撮影した撮影日時とする。
【００８２】
よってカメラ制御部２０は、画像ファイルを生成する際、圧縮画像データのヘッダに付加するヘッダデータに画像関連情報として、ファイル識別情報や、撮影位置を示す撮影位置情報を格納している。
【００８３】
またカメラ制御部２０は、この際、ヘッダデータに画像関連情報として、撮影方向を示す撮影方向情報や撮影日時を示す撮影日時情報、このときの写真撮影に利用した条件設定情報（すなわち、撮影条件を示す情報である）等も格納している。
【００８４】
カメラ制御部２０は、このように画像ファイルを生成すると、当該生成した画像ファイルをサムネイルデータと共に記録デバイス３４に送出して、当該記録デバイス３４に画像ファイルとサムネイルデータとを対応付けて記録する。このようにしてカメラ制御部２０は、ユーザに被写体を写真撮影させて、その結果得られた写真画像データを画像ファイルとして記録することができる。
【００８５】
因みに、記録デバイス３４は、例えば数ギガバイト〜数十ギガバイト程度の不揮発メモリであり、デジタルスチルカメラ２に予め内蔵され、又はメモリカードのようにデジタルスチルカメラ２に着脱可能に設けられている。
【００８６】
ところで、デジタルスチルカメラ２の筐体１０には、側面又は下面に、人物撮影状況や他対象物撮影状況に応じて設定可能な人物撮影条件や他対象物撮影条件の提示を要求するための提示要求ボタンが設けられている。
【００８７】
カメラ制御部２０は、撮影モード時、ユーザによる提示要求ボタンの操作に応じて操作部２３から入力信号が与えられると、撮影条件提示命令が入力されたと認識する。そしてカメラ制御部２０は、このときユーザに、設定可能な撮影条件を提示するための撮影条件提示設定処理を実行する。
【００８８】
この場合、カメラ制御部２０は、デジタル処理部３１を、単位画像データを生成する毎に、当該単位画像データに基づく単位画像に人物の顔が写っているか否かを検出する顔検出処理を実行させるように制御する。
【００８９】
ここで、デジタル処理部３１は、予め多数の男性（すなわち、大人の男性）の顔の画像が解析され、その解析結果をもとに学習して得られた男性の顔の特徴量（顔の形や色、目、鼻、口、眉毛の形等で表される）を男性顔特徴量として保持している。
【００９０】
またデジタル処理部３１は、予め多数の女性（すなわち、大人の女性）の顔の画像が解析され、その解析結果をもとに学習して得られた女性の顔の特徴量（顔の形や色、目、鼻、口、眉毛の形等で表される）を女性顔特徴量として保持している。
【００９１】
さらにデジタル処理部３１は、予め多数の男の子（すなわち、子供の男の子）の顔の画像が解析され、その解析結果をもとに学習して得られた男の子の顔の特徴量（顔の形や色、目、鼻、口、眉毛の形等で表される）を男子顔特徴量として保持している。
【００９２】
さらにデジタル処理部３１は、予め多数の女の子（すなわち、子供の女の子）の顔の画像が解析され、その解析結果をもとに学習して得られた女の子の顔の特徴量（顔の形や色、目、鼻、口、眉毛の形等で表される）を女子顔特徴量として保持している。
【００９３】
因みに、以下の説明では、これら大人の男性、大人の女性、子供の男の子、子供の女の子を特に区別する必要のない場合、まとめて単に人物とも呼ぶ。また、以下の説明では、男性顔特徴量、女性顔特徴量、男子顔特徴量、女子顔特徴量を特に区別する必要のない場合、まとめて単に顔特徴量とも呼ぶ。
【００９４】
さらにデジタル処理部３１は、人物の顔の大まかな輝度分布及び当該顔の大まかな構造のパターンを示し、単位画像において人物の顔が写っていると想定される領域（以下、これを想定領域とも呼ぶ）を探索するための顔探索情報も予め保持している。
【００９５】
よってデジタル処理部３１は、撮影状態提示画像の表示用に単位画像データを生成する毎に、顔探索情報及び顔特徴量を用いて当該単位画像データに基づく単位画像に人物が写っているか否かを検出する顔検出処理を実行する。
【００９６】
実際にデジタル処理部３１は、単位画像データを生成する毎に、顔探索情報に基づき当該単位画像データに基づく単位画像において想定領域を探索する。その結果、デジタル処理部３１は、単位画像において１又は複数の想定領域を検出すると、当該想定領域から画像の特徴量（以下、これを想定領域特徴量とも呼ぶ）として、例えば、複数の輪郭線の形状と、これら複数の輪郭線同士の位置関係と、色とを抽出する。
【００９７】
またデジタル処理部３１は、想定領域特徴量を、男性顔特徴量、女性顔特徴量、男子顔特徴量、女子顔特徴量と順次比較するようにして、その比較結果に基づき、単位画像の１又は複数の想定領域に、それぞれ人物の顔が写っているか否かを検出する。
【００９８】
すなわち、デジタル処理部３１は、このようにして単位画像の１又は複数の想定領域それぞれについて、男性の顔や女性の顔、男の子の顔、女の子の顔の何れかが写っているか否かを検出する。
【００９９】
その結果、デジタル処理部３１は、想定領域に人物の顔（すなわち、男性の顔や女性の顔、男の子の顔、女の子の顔）が写っていることを検出すると、さらに想定領域特徴量及び顔特徴量に基づき、当該検出した人物の顔において口や目等を特定する。
【０１００】
さらにまたデジタル処理部３１は、人物の顔において特定して口や目等の形状に基づき、その顔が笑顔であるか否かも検出する。そしてデジタル処理部３１は、人物の顔が写っていた想定領域毎に、当該想定領域で検出した顔を示す顔検出情報を生成する。
【０１０１】
この際、デジタル処理部３１は、想定領域毎の顔検出情報に、単位画像内での当該想定領域（人物の顔が写っていた想定領域）の位置を示す領域位置情報を格納する。またデジタル処理部３１は、想定領域毎の顔検出情報に、当該想定領域に写っていた顔の人物の種別（すなわち、男性や女性（性別）、大人や子供であること）を示す顔種別情報も格納する。
【０１０２】
さらにデジタル処理部３１は、想定領域毎の顔検出情報に、当該想定領域に写っていた人物の顔が笑顔であるか否かを示す表情情報も格納する。そしてデジタル処理部３１は、その想定領域毎の顔検出情報をカメラ制御部２０に送出する。
【０１０３】
このようにデジタル処理部３１は、カメラ制御部２０により撮影条件提示設定処理が開始されると、単位画像データを生成する毎に顔検出処理を実行して、その顔検出処理において人物の顔を検出すると、顔検出情報をカメラ制御部２０に送出する。
【０１０４】
ところで、カメラ制御部２０には、当該カメラ制御部２０が、種々の設定項目についてユーザにより設定された設定内容を示す各種情報や、電源のオフ後も保持する必要がある情報等を記憶するための不揮発メモリ３５が接続されている。
【０１０５】
因みに、不揮発メモリ３５は、ＥＥＰＲＯＭ（Electrically  Erasable  Programmable  Read  Only  Memory）又はＭＲＡＭ（Magnetoresistive  Random  Access  Memory）等である。
【０１０６】
そして、この不揮発メモリ３５には、人物の写真撮影時に、当該人物に個別に適用するようにして設定可能な種々の人物撮影条件を示す（すなわち、ユーザに提示するための）複数の撮影条件アイコンが予め記憶されている。
【０１０７】
また不揮発メモリ３５には、人物撮影条件を示す撮影条件アイコンに、当該人物撮影条件の設定に使用する条件設定情報が対応付けられて記憶されている。因みに、以下の説明では、人物撮影条件をユーザに提示するための撮影条件アイコンを、人物撮影条件アイコンとも呼ぶ。
【０１０８】
人物撮影条件としては、人物が瞬きにより目をつぶったときに写真撮影して写真画像が記録されることを回避するため、自動的にシャッタスピードを上げて２回連続して写真撮影し、人物が目をつぶらずに写っている１つの写真画像を記録する瞬き回避撮影がある。
【０１０９】
また人物撮影条件としては、人物が笑顔を見せてはいないとき、当該人物が笑顔になったら自動的に写真撮影するような笑顔待ち撮影もある。さらに人物撮影条件としては、人物が撮影レンズ１１から顔をそむけがちなとき（連続する単位画像のほぼ同じ位置で、同一の種別の顔の検出と未検出とが繰り返されるとき）、当該人物が顔を向けたら自動的に写真撮影するような振向き待ち撮影もある。
【０１１０】
さらに人物撮影条件としては、比較的色白な女性の顔や女の子の顔の肌の色を明るくするために、当該女性や女の子を写真撮影して写真画像を生成したとき、画像処理により、その写真画像において顔の部分の明度や彩度を調整するような美肌撮影等もある。
【０１１１】
そして、このような人物撮影条件を提示するための人物撮影条件アイコンは、例えば、長方形状に形成され、ユーザに設定可能な人物撮影条件を認識させ易くするために、その人物撮影条件に付された名称を表す文字列が描画されている。
【０１１２】
ところで、ユーザは、デジタルスチルカメラ２を使用して人物を写真撮影するとき、少なくとも数秒の間は、その人物を連続撮影して、その連続撮影で得られる撮影状態提示画像を見ながら撮影範囲や構図を決める傾向にある。
【０１１３】
このためカメラ制御部２０は、例えば、デジタル処理部３１により単位画像データが順次生成される毎に人物の顔が検出され、当該デジタル処理部３１から顔検出情報が連続して与えられると、その顔検出情報を順次比較する。
【０１１４】
その結果、カメラ制御部２０は、連続する数個（１０個以下）の単位画像のほぼ同じ位置で、同一の種別の顔がほぼ連続して検出されていると、現在、撮影状態の確認用に人物を連続撮影しており、人物を写真撮影する人物撮影状況にあると判断する。実際にカメラ制御部２０は、このとき、どのような種別の人物を何人、写真撮影するような人物撮影状況にあるのかまで判断する。
【０１１５】
そしてカメラ制御部２０は、このように撮影状況を判断すると、まずユーザに提示する設定可能な人物撮影条件として、何れの人物を写真撮影する場合にでも利用し得る瞬き回避撮影を選定する。
【０１１６】
またカメラ制御部２０は、この際、デジタル処理部３１から与えられた最新の顔検出情報に基づき、現在、撮影されている人物が笑顔を見せているか否かを判別する。その結果、カメラ制御部２０は、現在、撮影されている人物が、笑顔を見せてはいないと、ユーザに提示する設定可能な人物撮影条件として、笑顔待ち撮影を選定する。
【０１１７】
さらにカメラ制御部２０は、この際、デジタル処理部３１から与えられた最新の顔検出情報に基づき、現在、女性や女の子が撮影されているか否かも判別する。その結果、カメラ制御部２０は、現在、女性や女の子が撮影されていると、ユーザに提示する設定可能な人物撮影条件として、美肌撮影も選定する。
【０１１８】
このようにカメラ制御部２０は、撮影状態の確認用に人物を連続撮影していることで、人物撮影状況にあると判断すると、顔検出情報をもとに、ユーザに提示する設定可能な人物撮影条件を少なくとも１つ以上は選定する。因みに、以下の説明では、ユーザへの提示用に人物撮影条件を選定するもとになった人物を、条件選定用人物とも呼ぶ。
【０１１９】
そしてカメラ制御部２０は、設定可能な１又は複数の人物撮影条件を選定すると、不揮発メモリ３５から、当該選定した人物撮影条件を提示するための人物撮影条件アイコンを読み出す。またカメラ制御部２０は、その不揮発メモリ３５から読み出した１又は複数の人物撮影条件アイコンをデジタル処理部３１に送出する。
【０１２０】
デジタル処理部３１は、カメラ制御部２０から人物撮影条件アイコンが与えられると、単位画像データを生成する毎に、単位画像に写っている人物の顔の部分を囲むための例えば、四角形の枠画像の枠画像データを生成する。
【０１２１】
またデジタル処理部３１は、その順次生成する単位画像データに、人物の顔の部分の位置に応じて枠画像データを合成すると共に、カメラ制御部２０から与えられていた人物撮影条件アイコンも合成して合成画像データを生成する。
【０１２２】
そしてデジタル処理部３１は、このように単位画像データに枠画像データ及び人物撮影条件アイコンを合成して得た合成画像データを順次、ディスプレイ１５Ｂに送出する。これにより図４に示すように、デジタル処理部３１は、合成画像データに基づきディスプレイ１５Ｂに撮影状態提示画像３７（人物の顔が写っている単位画像）を表示する。
【０１２３】
またデジタル処理部３１は、その合成画像データに基づき撮影状態提示画像３７に人物の顔を囲むように枠画像３８を重ねて表示する。さらにデジタル処理部３１は、その合成画像データに基づき撮影状態提示画像３７に、１又は複数の人物撮影条件アイコン３９乃至４１も重ねて表示する。
【０１２４】
ここで、図４に示すように、一人の男性、一人の女性、一人の男の子の合計三人が連続撮影され、そのうち女性と男の子が笑顔を見せてはいない状態を例にして、３個の人物撮影条件アイコン３９乃至４１を表示する場合について説明する。
【０１２５】
カメラ制御部２０は、この際、人物撮影状況にあると判断したことで、設定可能な人物撮影条件として瞬き回避撮影を選定している。またカメラ制御部２０は、女性と男の子が笑顔を見せてはいないことで、設定可能な人物撮影条件として笑顔待ち撮影を選定している。
【０１２６】
さらにカメラ制御部２０は、一人の女性が連続撮影されていることで、設定可能な人物撮影条件として美肌撮影を選定している。よってカメラ制御部２０は、このとき、瞬き回避撮影を提示するための人物撮影条件アイコン３９と、笑顔待ち撮影を提示するための人物撮影条件アイコン４０と、美肌撮影を提示するための人物撮影条件アイコン４１とをデジタル処理部３１に送出している。
【０１２７】
そして、カメラ制御部２０は、この際、デジタル処理部３１を制御して、初期状態として撮影状態提示画像３７の例えば、画像水平方向の右端部に３個の人物撮影条件アイコン３９乃至４１を、画像垂直方向と平行に一列（すなわち、縦一列）に並べて表示する。
【０１２８】
よってカメラ制御部２０は、撮影状態提示画像３７に人物撮影条件アイコン３９乃至４１を重ねて表示しても、当該撮影状態提示画像３７を極力見せることができるようにしている。
【０１２９】
また設定可能な人物撮影条件としての瞬き回避撮影を提示するための人物撮影条件アイコン３９には、その瞬き回避撮影に付された名称を表す「瞬き回避」という文字列が描画されている。
【０１３０】
さらに設定可能な人物撮影条件としての笑顔待ち撮影を提示するための人物撮影条件アイコン４０には、その笑顔待ち撮影に付された名称を表す「笑顔待ち」という文字列が描画されている。
【０１３１】
さらにまた設定可能な人物撮影条件としての美肌撮影を提示するための人物撮影条件アイコン４１には、その美肌撮影に付された名称を表す「美肌」という文字列が描画されている。
【０１３２】
よってカメラ制御部２０は、撮影状態提示画像３７に重ねて表示した３個の人物撮影条件アイコン３９乃至４１により、ユーザに、この際の人物の写真撮影で設定可能な人物撮影条件を提示することができる。
【０１３３】
ところで、人物撮影条件アイコン３９乃至４１は、例えば、描画された文字列以外は、白やグレーのような単色で描かれた目の粗い網目模様又は水玉模様のように、下地となる撮影状態提示画像３７が透けて見えるように生成されている。
【０１３４】
よってカメラ制御部２０は、撮影状態提示画像３７に人物撮影条件アイコン３９乃至４１を重ねて表示しても、当該撮影状態提示画像３７において人物撮影条件アイコン３９乃至４１の重なる部分も極力見せるようにしている。
【０１３５】
すなわち、カメラ制御部２０は、撮影状態提示画像３７に人物撮影条件アイコン３９乃至４１を重ねて表示しても、その人物撮影条件アイコン３９乃至４１により撮影状態が確認し難くなることを極力回避している。
【０１３６】
またカメラ制御部２０は、撮影状態提示画像３７上に人物撮影条件アイコン３９乃至４１を表示した状態では、例えば、シャッタボタン１７が半押操作されると、人物撮影条件アイコン３９乃至４１の表示を一時的に消去する表示消去命令が入力されたと認識する。
【０１３７】
そしてカメラ制御部２０は、実際にシャッタボタン１７が半押操作され表示消去命令が入力されると、そのシャッタボタン１７が半押操作されている間、撮影状態提示画像３７上から人物撮影条件アイコン３９乃至４１を消去する。
【０１３８】
すなわち、カメラ制御部２０は、シャッタボタン１７が半押操作されている間は、デジタル処理部３１を制御してディスプレイ１５Ｂに撮影状態提示画像３７及び枠画像３８のみを表示する。
【０１３９】
これによりカメラ制御部２０は、シャッタボタン１７が半押操作されている間は、撮影状態提示画像３７全体を見せて、被写体としての人物の撮影状態を的確に確認させることができる。
【０１４０】
ところで、カメラ制御部２０は、撮影状態提示画像３７に人物撮影条件アイコン３９乃至４１を重ねて表示した場合、ユーザに、タップ操作により当該撮影状態提示画像３７上で人物の顔や人物撮影条件アイコン３９乃至４１を個別に指示させることができる。
【０１４１】
またカメラ制御部２０は、ユーザに、摺動操作により撮影状態提示画像３７上で人物撮影条件アイコン３９乃至４１を人物の顔の上まで移動させて、当該移動させた人物撮影条件アイコン３９乃至４１と、これを重ねた人物の顔とを合わせて指示させることもできる。
【０１４２】
そして図５に示すように、カメラ制御部２０は、人物の顔が指示された後、人物撮影条件アイコン３９乃至４１が指示されると、当該指示された人物用に、指示された人物撮影条件アイコン３９乃至４１の示す人物撮影条件が選択されたと認識する。
【０１４３】
また図６に示すように、カメラ制御部２０は、人物撮影条件アイコン３９乃至４１を人物の顔の上まで移動させると、その移動に応じて指示された人物用に、同様に移動で指示された人物撮影条件アイコン３９乃至４１の示す人物撮影条件が選択されたと認識する。
【０１４４】
すなわち、カメラ制御部２０は、ユーザによりタップ操作や摺動操作によって撮影状態提示画像３７上で何れかの人物の顔と共に瞬き回避撮影用の人物撮影条件アイコン３９が指示されると、当該指示された人物用に瞬き回避撮影が選択されたと認識する。
【０１４５】
またカメラ制御部２０は、ユーザによりタップ操作や摺動操作によって撮影状態提示画像３７上で女性及び男の子の一方の顔と共に笑顔待ち撮影用の人物撮影条件アイコン４０が指示されると、指示された女性又は男の子用に笑顔待ち撮影が選択されたと認識する。
【０１４６】
さらにカメラ制御部２０は、ユーザによりタップ操作や摺動操作によって撮影状態提示画像３７上で女性の顔と共に美肌撮影用の人物撮影条件アイコン４１が指示されると、指示された女性用に美肌撮影が選択されたと認識する。
【０１４７】
ところで、カメラ制御部２０は、人物と１又は複数の人物撮影条件とを組み合わせて選択されても、例えば、対応する人物の顔の部分が２回連続してタップ操作されると、当該人物と組み合わせた１又は複数の人物撮影条件の選択を一括して解除する。これによりカメラ制御部２０は、ユーザにより人物撮影条件が誤って選択されても、その選択を簡易な操作で容易に解除することができる。
【０１４８】
またカメラ制御部２０は、人物撮影条件が、その条件選定用人物の顔とは異なる人物の顔と組み合わせて選択されると、撮影状態提示画像３７上に注意文を表示する等して、その組み合わせでは人物撮影条件を選択し得ないことを通知する。
【０１４９】
すなわち、カメラ制御部２０は、すでに笑顔を見せている男性を、笑顔になることを待って自動的に写真撮影しようとする笑顔待ち撮影のように、人物の組み合わせによっては実現し得ない人物撮影条件が選択された場合に、これを的確に通知することができる。
【０１５０】
またカメラ制御部２０は、男性や男の子の顔の肌の色を明るくしようとする美肌撮影のように、人物の組み合わせによっては、あまり意味を成さない人物撮影条件が選択された場合にも、これを的確に通知することができる。
【０１５１】
ただし、カメラ制御部２０は、撮影状態提示画像３７において人物の顔及び人物撮影条件アイコン３９乃至４１以外の部分が２回連続してタップ操作されると、人物撮影条件アイコン３９乃至４１の表示形態を変更する表示形態変更命令が入力されたと判断する。
【０１５２】
ここで、カメラ制御部２０は、人物撮影状況にあると判断した後も、実際に人物を写真撮影するまでの間は、デジタル処理部３１から顔検出処理を順次実行することで顔を検出して与えられる顔検出情報を取り込んでいる。
【０１５３】
またカメラ制御部２０は、その顔検出情報に格納された領域位置情報に基づき、この際、ユーザに提示している人物撮影条件毎の１又は複数の条件選定用人物の顔の位置（すなわち、人物の顔が写っていた想定領域の位置）を追跡している。
【０１５４】
よってカメラ制御部２０は、表示形態変更命令が入力されると、この際、人物撮影条件毎の条件選定用人物の顔の最新の位置と、当該人物撮影条件を示す人物撮影条件アイコン３９乃至４１とを対応付けてデジタル処理部３１に送出する。
【０１５５】
デジタル処理部３１は、カメラ制御部２０から条件選定用人物の顔の最新の位置と、人物撮影条件アイコン３９乃至４１とが対応付けて与えられると、単位画像データに、その位置に応じて人物撮影条件アイコンを合成して合成画像データを生成する。
【０１５６】
そしてデジタル処理部３１は、その合成画像データをディスプレイ１５Ｂに送出する。これにより図７に示すように、デジタル処理部３１は、合成画像データに基づきディスプレイ１５Ｂに撮影状態提示画像３７（人物の顔が写っている単位画像）を表示する。
【０１５７】
またデジタル処理部３１は、その合成画像データに基づき撮影状態提示画像３７に、各条件選定用人物の顔にそれぞれ近接させて、当該条件選定用人物をもとに選定した人物撮影条件を示す１又は複数の人物撮影条件アイコン３９乃至４１を表示する。
【０１５８】
このようにしてカメラ制御部２０は、撮影状態提示画像３７に重ねる人物撮影条件アイコン３９乃至４１の表示位置を、対応する条件選定用人物の顔の近傍に変更する。よってカメラ制御部２０は、人物の顔と、人物撮影条件アイコン３９乃至４１との位置関係により、ユーザに、人物撮影条件アイコン３９乃至４１が示す人物撮影条件が、何れの人物の写真撮影に有効であるのか直感的に認識させることができる。
【０１５９】
そしてカメラ制御部２０は、このように人物撮影条件アイコン３９乃至４１の表示位置を変更した場合、ユーザに、タップ操作により人物撮影条件アイコン３９乃至４１のみを個別に指示させるようになされている。
【０１６０】
従って、カメラ制御部２０は、この際、人物撮影条件アイコン３９乃至４１を指示させるだけで、その人物撮影条件アイコン３９乃至４１に近接する顔の人物用に、当該指示された人物撮影条件アイコン３９乃至４１の示す人物撮影条件が選択されたと認識する。
【０１６１】
ところで、カメラ制御部２０は、このような人物の顔に人物撮影条件アイコン３９乃至４１を近接させる表示形態では、デジタル処理部３１を制御して、例えば、人物毎に当該人物の顔の部分を囲む枠画像３８の表示色を変更（元の表示色とも異なる）する。
【０１６２】
そしてカメラ制御部３１は、かかる表示形態で、人物撮影条件アイコン３９乃至４１が指示されると、当該指示された人物撮影条件アイコン３９乃至４１を、対応する人物用の枠画像３８の表示色と同一の表示色に変更する。これによりカメラ制御部２０は、ユーザに、何れの人物用に、何れの人物撮影条件を組み合わせて選択したのかを容易に確認させることができる。
【０１６３】
ただし、カメラ制御部２０は、かかる表示形態では、人物用に人物撮影条件が選択されても、当該選択された人物撮影条件を示す人物撮影条件アイコン３９乃至４１が２回連続してタップ操作されると、その人物撮影条件の選択を個別に解除する。これによりカメラ制御部２０は、ユーザにより人物撮影条件が誤って選択されても、その選択を容易に解除させることができる。
【０１６４】
そしてカメラ制御部２０は、このとき、その選択を解除した人物撮影条件を示す人物撮影条件アイコン３９乃至４１の表示色（すなわち、選択を示すように変更していた表示色）を、元の表示色に戻す。よってカメラ制御部２０は、ユーザに、人物撮影条件の選択を解除したことを容易に確認させることもできる。
【０１６５】
またカメラ制御部２０は、かかる表示形態では、人物用に複数の人物撮影条件が選択されても、当該人物の顔の部分が２回連続してタップ操作されると、その人物用に選択されていた複数の人物撮影条件の当該選択を一括して解除する。これによりカメラ制御部２０は、ユーザにより人物撮影条件が誤って選択されても、その選択を簡易な操作で容易に解除することができる。
【０１６６】
そしてカメラ制御部２０は、このときも、その選択を解除した人物撮影条件を示す人物撮影条件アイコン３９乃至４１の表示色（すなわち、選択を示すように変更していた表示色）を、元の表示色に戻す。これによりカメラ制御部２０は、ユーザに、人物撮影条件の選択を解除したことを容易に確認させることができる。
【０１６７】
このようにしてカメラ制御部２０は、撮影状態提示画像３７上で、人物撮影条件アイコン３９乃至４１を指示させるようにして、人物の写真撮影用に少なくとも１個以上の人物撮影条件を選択させることができる。
【０１６８】
そしてカメラ制御部２０は、撮影状態提示画像３７において人物の顔及び人物撮影条件アイコン３９乃至４１以外の部分がタップ操作（１回）されると、人物撮影条件の選択を確定する（すなわち、終了する）選択確定命令が入力されたと判断する。
【０１６９】
カメラ制御部２０は、このように人物撮影条件の選択を確定する選択確定命令が入力されると、これに応じて不揮発メモリ３５から、当該選択された人物撮影条件に対応する条件設定情報を読み出す。
【０１７０】
またカメラ制御部２０は、その人物撮影条件と共に選択された人物の顔の最新の位置を、条件設定情報と共に用いて、当該人物撮影条件で人物を写真撮影するように自己やデジタル処理部３１等を設定する。
【０１７１】
因みに、カメラ制御部２０は、上述のように撮影状態提示画像３７上で少なくとも１個以上の人物撮影条件を選択させ得るため、複数の人物撮影条件が選択されると、これら選択された複数の人物撮影条件を組み合わせて写真撮影するように設定する。
【０１７２】
実際にカメラ制御部２０は、例えば、笑顔待ち撮影のように自動的に写真撮影するような人物撮影条件に設定していると、シャッタボタン１７の全押操作に応じた撮影命令の入力を無効にする。
【０１７３】
そしてデジタル処理部３１は、例えば、カメラ制御部２０により笑顔待ち撮影で人物を写真撮影するように設定されると、単位画像データを生成する毎に、その単位画像において笑顔待ち撮影と共に選択された人物の顔を追跡しながら検出する。またデジタル処理部３１は、その追跡しながら検出した人物の顔において口や目等を特定し、当該特定した口や目等の形状に基づき、その顔が笑顔であるか否かを検出する。
【０１７４】
そしてデジタル処理部３１は、その追跡しながら検出した人物の顔が、笑顔ではない状態から笑顔に変化したことを検出すると、その時点に人物の写真撮影を指示する撮影命令をカメラ制御部２０に送出する。
【０１７５】
カメラ制御部２０は、デジタル処理部３１から撮影命令が入力されると、その撮影命令の入力に応じてタイミングジェネレータ２８を制御して、撮像光により撮像素子２７の受光面を予め設定されたシャッタスピードで写真撮影用に露光する。
【０１７６】
よって撮像素子２７は、このとき、上述と同様に受光面を露光した撮像光を光電変換して写真用光電変換信号を生成すると共に、当該生成した写真用光電変換信号をアナログ処理部２９に送出する。
【０１７７】
アナログ処理部２９も、上述と同様に、撮像素子２７から与えられた写真用光電変換信号にアナログ処理を施して写真用撮像信号を生成し、アナログデジタル変換部３０を介して写真用撮像データに変換してデジタル処理部３１に送出する。
【０１７８】
デジタル処理部３１は、この際、上述と同様にアナログデジタル変換部３０から与えられた写真用撮像データに写真撮影用の所定のデジタル処理を施す。これによりデジタル処理部３１は、被写体としての人物を含む撮影範囲を写真撮影して得られる写真画像データを生成する。
【０１７９】
またデジタル処理部３１は、その写真画像データに圧縮符号化処理を施して圧縮画像データを生成する。さらにデジタル処理部３１は、このとき、その写真画像データに縮小処理を施してサムネイルデータも生成する。そしてデジタル処理部３１は、圧縮画像データを、そのサムネイルデータと共にカメラ制御部２０に送出する。
【０１８０】
ところで、カメラ制御部２０は、この際、笑顔待ち撮影に加えて瞬き回避撮影で人物を写真撮影するようにも設定していると、デジタル処理部３１からの撮影命令の入力に応じてタイミングジェネレータ２８を２回連続して制御する。これによりカメラ制御部２０は、撮像光により撮像素子２７の受光面を、シャッタスピードを上げて２回連続して写真撮影用に露光する。
【０１８１】
よって撮像素子２７は、このとき受光面を撮像光で露光する毎に、当該受光面を露光した撮像光を光電変換して、その露光した撮像光に応じた写真用光電変換信号を生成すると共に、当該生成した写真用光電変換信号をアナログ処理部２９に順次送出する。
【０１８２】
アナログ処理部２９は、撮像素子２７から写真用光電変換信号が与えられる毎に、当該写真用光電変換信号に増幅処理のような所定のアナログ処理を施して写真用撮像信号を生成する。またアナログ処理部２９は、その写真用撮像信号を、アナログデジタル変換部３０を介して写真用撮像データに変換してデジタル処理部３１に順次送出する。
【０１８３】
デジタル処理部３１は、この際、アナログデジタル変換部３０から写真用撮像データが与えられる毎に、当該写真用撮像データに写真撮影用の所定のデジタル処理を施す。これによりデジタル処理部３１は、被写体としての人物を含む撮影範囲を２回写真撮影して得られる２つの写真画像データを生成する。
【０１８４】
またデジタル処理部３１は、このようにして２つの写真画像データを生成すると、単位画像での人物の顔の位置を参考にして、これら２つの写真画像データに基づく２つの写真画像において、瞬き回避撮影と共に選択されていた人物の顔を検出する。
【０１８５】
さらにデジタル処理部３１は、２つの写真画像それぞれで検出した人物の顔において目を特定し、特定して目の形状に基づき、その人物が目をつぶっているか否かを検出する。その結果、デジタル処理部３１は、一方の写真画像において、その人物が目をあけており、他方の写真画像において当該人物が目を閉じていると、一方の写真画像を残し、他方の写真画像を破棄する。
【０１８６】
そしてデジタル処理部３１は、その残した一方の写真画像の写真画像データに圧縮符号化処理を施して圧縮画像データを生成する。またデジタル処理部３１は、このとき、その写真画像データに画素を間引く縮小処理を施してサムネイルデータも生成する。そしてデジタル処理部３１は、圧縮画像データをサムネイルデータと共にカメラ制御部２０に送出する。
【０１８７】
ただし、デジタル処理部３１は、この際、両方の写真画像において、その人物が目をあけていると、例えば、先に生成した一方の写真画像を残し、後に生成した他方の写真画像を破棄する。
【０１８８】
そしてデジタル処理部３１は、その残した一方の写真画像の写真画像データに圧縮符号化処理を施して圧縮画像データを生成する。またデジタル処理部３１は、その写真画像データをもとにサムネイルデータも生成する。そしてデジタル処理部３１は、圧縮画像データをサムネイルデータと共にカメラ制御部２０に送出する。
【０１８９】
またデジタル処理部３１は、この際、両方の写真画像において、その人物が目を閉じていると、両方の写真画像を破棄すると共に、これをカメラ制御部２０に通知する。そしてカメラ制御部２０は、このようにデジタル処理部３１から両方の写真画像の破棄が通知されると、例えば、ユーザにディスプレイ１５Ｂを介して、瞬き回避撮影が失敗して人物を写真撮影し得なかったことを通知する。
【０１９０】
ところで、デジタル処理部３１は、この際、笑顔待ち撮影及び瞬き回避撮影に加えて美肌撮影で人物を写真撮影するようにも設定されていると、圧縮符号化処理を施す写真画像データを得たとき、当該写真画像データに、圧縮符号化処理の前に画像処理を施す。
【０１９１】
これによりデジタル処理部３１は、写真画像データに基づく写真画像において、美肌撮影と共に選択されていた人物の顔の部分の明度や彩度を調整して、顔の肌の色を明るく補整する。
【０１９２】
そしてデジタル処理部３１は、その画像処理を施した写真画像データに圧縮符号化処理を施して圧縮画像データを生成する。またデジタル処理部３１は、その写真画像データをもとにサムネイルデータも生成する。そしてデジタル処理部３１は、圧縮画像データをサムネイルデータと共にカメラ制御部２０に送出する。
【０１９３】
一方、カメラ制御部２０は、例えば、笑顔待ち撮影のように自動的に写真撮影するような人物撮影条件を設定せずに、瞬き回避撮影で人物を写真撮影するように設定していると、シャッタボタン１７の全押操作に応じた撮影命令の入力を有効にする。
【０１９４】
そしてカメラ制御部２０は、例えば、瞬き回避撮影で人物を写真撮影するように設定した状態で、シャッタボタン１７の全押操作に応じて撮影命令が入力されると、その撮影命令の入力に応じてタイミングジェネレータ２８を２回連続して制御する。
【０１９５】
これによりカメラ制御部２０は、上述と同様に撮像光により撮像素子２７の受光面を、シャッタスピードを上げて２回連続して写真撮影用に露光するようにして、これに応じてデジタル処理部３１に、２つの写真画像データを生成させる。
【０１９６】
よってデジタル処理部３１は、この際、上述と同様に１つの写真画像データを選択して圧縮画像データ及びサムネイルデータを生成しカメラ制御部２０に送出し、又は写真画像データを破棄して、これをカメラ制御部２０に通知する。因みに、カメラ制御部２０は、この際、デジタル処理部３１から２つの写真画像データの破棄が通知されると、上述と同様に、ユーザに瞬き回避撮影の失敗を通知する。
【０１９７】
ところで、デジタル処理部３１は、この際、瞬き回避撮影に加えて美肌撮影で人物を写真撮影するようにも設定されていると、上述と同様に圧縮符号化処理を施す写真画像データを得たとき、その写真画像データに先に画像処理を施す。そしてデジタル処理部３１は、その画像処理を施した写真画像データをもとに圧縮画像データ及びサムネイルデータを生成してカメラ制御部２０に送出する。
【０１９８】
またカメラ制御部２０は、例えば、瞬き回避撮影や笑顔待ち撮影を設定せずに、美肌撮影で人物を写真撮影するように設定していると、シャッタボタン１７の全押操作に応じて撮影命令が入力されたとき、これに応じてタイミングジェネレータ２８を制御する。
【０１９９】
これによりカメラ制御部２０は、撮像光により撮像素子２７の受光面を予め設定されたシャッタスピードで写真撮影用に露光する。よって撮像素子２７は、このとき、上述と同様に受光面を露光した撮像光を光電変換して当該露光した撮像光に応じた写真用光電変換信号を生成し、当該生成した写真用光電変換信号をアナログ処理部２９に送出する。
【０２００】
またアナログ処理部２９は、上述と同様に撮像素子２７から与えられた写真用光電変換信号をもとに写真用撮像信号を生成し、当該生成した写真用撮像信号を、アナログデジタル変換部３０を介して写真用撮像データに変換してデジタル処理部３１に送出する。
【０２０１】
さらにデジタル処理部３１は、上述と同様にアナログデジタル変換部３０から与えられた写真用撮像データをもとに写真画像データを生成し、当該生成した写真画像データに画像処理を施す。またデジタル処理部３１は、その画像処理を施した写真画像データをもとに圧縮画像データ及びサムネイルデータを生成してカメラ制御部２０に送出する。
【０２０２】
そしてカメラ制御部２０は、このようにデジタル処理部３１から圧縮画像データ及びサムネイルデータが与えられると、上述と同様に画像ファイルを生成する。またカメラ制御部２０は、その画像ファイルをサムネイルデータと共に記録デバイス３４に記録する。
【０２０３】
このようにしてカメラ制御部２０は、ユーザに選択された種々の人物撮影条件で人物を写真撮影し、その結果得られた写真画像データを画像ファイルとして記録することができる。
【０２０４】
因みに、カメラ制御部２０は、人物撮影条件が何ら選択されず、何れの人物撮影条件も設定してはいないと、シャッタボタン１７の全押操作に応じた撮影命令の入力を有効にしている。
【０２０５】
そしてカメラ制御部２０は、何れの人物撮影条件も設定してはいない状態でシャッタボタン１７の全押操作に応じて撮影命令が入力されると、撮影条件提示設定処理を実行してはいない場合と同様にすでに設定していた撮影条件で被写体としての人物を写真撮影する。すなわち、カメラ制御部２０は、このような場合、初期設定していた撮影条件や、ユーザにより手動で任意に設定されていた撮影条件で人物や他対象物を写真撮影する。
【０２０６】
一方、デジタル処理部３１は、上述のように単位画像データを順次生成する毎に顔検出処理を実行しても、当該単位画像データに基づく単位画像において人物の顔を全く検出しないと、顔検出情報に替えて顔の未検出を示す未検出情報をカメラ制御部２０に送出する。
【０２０７】
よってカメラ制御部２０は、デジタル処理部３１から未検出情報が与えられると、例えば、その未検出情報が連続して与えられている回数をカウントする。そしてカメラ制御部２０は、連続する数個（１０個以下）の単位画像において人物の顔が検出されず未検出情報が与えられると、現在、撮影状態の確認用に他対象物を連続撮影しており、他対象物を写真撮影する他対象物撮影状況にあると判断する。
【０２０８】
カメラ制御部２０は、このように他対象物撮影状況にあると判断すると、撮影条件提供装置３から他対象物の写真撮影用に設定可能な他対象物撮影条件を取得するための撮影条件取得処理を実行する。
【０２０９】
ただし、デジタルスチルカメラ２は、無線通信機能を有し、無線ＬＡＮ（Local  Area  Network）用のアクセスポイント（基地局）を利用してネットワーク４に接続するようになされている。
【０２１０】
そしてデジタルスチルカメラ２は、自由に持ち運ばせて、いろいろな場所で写真撮影に使用させることができるものの、必ずしもアクセスポイントの通信エリア内で使用されるとは限らない。
【０２１１】
また撮影条件提供装置３は、上述のように、多数のユーザから他対象物を実際に写真撮影したときの他対象物撮影条件を取得して、当該取得した他対象物撮影条件を一般への提供用にしている。このため、撮影条件提供装置３は、あらゆる他対象物をそれぞれ実際に写真撮影したときの他対象物撮影条件を保持しているとは限らない。
【０２１２】
よってカメラ制御部２０は、他対象物撮影状況にあると判断すると、このとき通信処理部４３及びネットワークインタフェース４４を利用して、デジタルスチルカメラ２がネットワーク４に接続可能な環境にあるか否かを判別する。
【０２１３】
その結果、カメラ制御部２０は、現在、デジタルスチルカメラ２がネットワーク４に接続可能な環境にあると、ＧＰＳ受信機３２を介してＧＰＳ用の人工衛星と通信して、現在のカメラ位置を検出する。またカメラ制御部２０は、このとき方位センサ３３により、現在のカメラ方向も検出する。
【０２１４】
さらにカメラ制御部２０は、このとき検出した現在のカメラ位置及びカメラ方向で写真撮影可能な他対象物の写真撮影用に、他対象物撮影条件が提供可能であるか否かを問い合わせるための問合信号を生成する。この際、カメラ制御部２０は、その問合信号に、このとき検出した現在のカメラ位置を示すカメラ位置情報と、現在のカメラ方向を示すカメラ方向情報とを格納する。
【０２１５】
そしてカメラ制御部２０は、このように問合信号を生成すると、当該生成した問合信号を、通信処理部４３及びネットワークインタフェース４４を順次介してネットワーク３上の撮影条件提供装置３に送信する。
【０２１６】
その結果、カメラ制御部２０は、撮影条件提供装置３から、他対象物撮影条件が提供可能であることを示す提供可能通知信号が送信されると、これをネットワークインタフェース４４及び通信処理部４３を順次介して受信する。
【０２１７】
カメラ制御部２０は、提供可能通知信号を受信すると、その提供可能通知信号から、後述するように提供可能な他対象物撮影条件の特定用に撮影条件提供装置３によって格納されていた他対象物識別情報を取り出す。
【０２１８】
またカメラ制御部２０は、その提供可能通知信号の受信に応じて、デジタル処理部３１に、単位画像全体から画像の特徴量（以下、これを単位画像特徴量とも呼ぶ）を抽出するように指示する抽出指示信号を送出する。
【０２１９】
デジタル処理部３１は、カメラ制御部２０から抽出指示信号が与えられると、例えば、その抽出指示信号が与えられたときに生成した単位画像データを単位画像特徴量の抽出対象にする。
【０２２０】
そしてデジタル処理部３１は、その抽出対象とした単位画像データに基づく単位画像から、単位画像特徴量として、例えば、複数の輪郭線の形状と、これら複数の輪郭線同士の位置関係と、色等とを抽出する。このようにしてデジタル処理部３１は、単位画像から抽出した単位画像特徴量をカメラ制御部２０に送出する。
【０２２１】
カメラ制御部２０は、デジタル処理部３１から単位画像特徴量が与えられると、他対象物の写真撮影用に設定可能な他対象物撮影条件を要求するための条件要求信号を生成する。この際、カメラ制御部２０は、その条件要求信号に、単位画像特徴量と共に、上述の他対象物識別情報を格納する。
【０２２２】
そしてカメラ制御部２０は、このように条件要求信号を生成すると、当該生成した条件要求信号を、通信処理部４３及びネットワークインタフェース４４を順次介してネットワーク４上の撮影条件提供装置３に送信する。
【０２２３】
その結果、カメラ制御部２０は、撮影条件提供装置３からそれぞれ異なる複数の他対象物撮影条件を提供するための条件提供信号が送信されると、これをネットワークインタフェース４４及び通信処理部４３を順次介して受信する。
【０２２４】
この場合、条件提供信号には、他対象物撮影条件毎の、当該他対象物撮影条件を示す（ユーザに提示するための）撮影条件アイコンと、その他対象物撮影条件の設定に使用する条件設定情報とが対応付けられて複数組格納されている。
【０２２５】
因みに、以下の説明では、他対象物撮影条件を示す（ユーザに提示するための）撮影条件アイコンを、他対象物撮影条件アイコンとも呼ぶ。また条件設定情報は、シャッタスピードや露出、ホワイトバランス、色温度、ＩＳＯ感度、色調等のように写真撮影用の種々の設定値が格納されて生成されている。
【０２２６】
このためカメラ制御部２０は、撮影条件提供装置３から送信された条件提供信号を受信すると、当該条件提供信号から複数組の他対象物撮影条件アイコン及び条件設定情報を取り出す。
【０２２７】
そしてカメラ制御部２０は、条件提供信号から取り出した複数の条件設定情報を、例えば不揮発メモリ３５に一時記憶する。またカメラ制御部２０は、条件提供信号から取り出した複数の他対象物撮影条件アイコンを、デジタル処理部３１に送出する。
【０２２８】
デジタル処理部３１は、カメラ制御部２０から複数の他対象物撮影条件アイコンが与えられると、単位画像データを生成する毎に、当該単位画像データに、その複数の他対象物撮影条件アイコンを合成して合成画像データを生成する。そしてデジタル処理部３１は、このように単位画像データに複数の他対象物撮影条件アイコンを合成して得た合成画像データを順次、ディスプレイ１５Ｂに送出する。
【０２２９】
これにより図８に示すように、デジタル処理部３１は、合成画像データに基づきディスプレイ１５Ｂに撮影状態提示画像４６（他対象物が写っている単位画像）を表示する。またデジタル処理部３１は、その合成画像データに基づき撮影状態提示画像４６の例えば、画像水平方向の右端部に画像垂直方向と平行な帯状のアイコン配置部４７を重ねて表示する。
【０２３０】
そしてデジタル処理部３１は、その合成画像データに基づきアイコン配置部４７に複数の他対象物撮影条件アイコン４８乃至５１を、画像垂直方向と平行に一列（すなわち、縦一列）に並べた状態で重ねて表示する。
【０２３１】
よってカメラ制御部２０は、撮影状態提示画像４６に他対象物撮影条件アイコン４８乃至５１を重ねて表示しても、当該撮影状態提示画像４６を極力見せることができるようにしている。
【０２３２】
すなわち、カメラ制御部２０は、撮影状態提示画像４６に他対象物撮影条件アイコン４８乃至５１を重ねて表示しても、その他対象物撮影条件アイコン４８乃至５１により、他対象物の撮影状態が確認し難くなることを極力回避している。
【０２３３】
また各他対象物撮影条件アイコン４８乃至５１は、当該他対象物撮影条件アイコン４８乃至５１の示す他対象物撮影条件で実際に他対象物が写真撮影されて得られた写真画像のサムネイルとして生成されている。
【０２３４】
よってカメラ制御部２０は、複数の他対象物撮影条件アイコン４８乃至５１により、ユーザに他対象物の写真撮影用に設定可能な他対象物撮影条件を、実際に当該他対象物撮影条件で写真撮影して得られた写真画像として提示することができる。
【０２３５】
さらにカメラ制御部２０は、この際、ユーザによりアイコン配置部４７において画像垂直方向と平行に摺動操作されると、これに応じてデジタル処理部３１を制御する。これによりカメラ制御部２０は、アイコン配置部４７上の他対象物撮影条件アイコン４８乃至５１を画像垂直方向へスクロールさせる。
【０２３６】
すなわち、カメラ制御部２０は、アイコン配置部４７上にすでに表示していた他対象物撮影条件アイコン４８乃至５１を当該アイコン配置部４７の外側へ移動させる。これに伴いカメラ制御部２０は、アイコン配置部４７上にそれまで表示してはいなかった他対象物撮影条件アイコン４８乃至５１を当該アイコン配置部４７内に移動させる。
【０２３７】
これによりカメラ制御部２０は、他対象物撮影条件アイコン４８乃至５１の個数がアイコン配置部４７上に一括表示可能な個数より多くても、これら他対象物撮影条件アイコン４８乃至５１を適宜切り替えて見せることができる。
【０２３８】
因みに、カメラ制御部２０は、撮影状態提示画像４６上に他対象物撮影条件アイコン４８乃至５１を表示した状態でシャッタボタン１７が半押操作されると、他対象物撮影条件アイコン４８乃至５１の表示を一時的に消去する表示消去命令が入力されたと認識する。
【０２３９】
そしてカメラ制御部２０は、実際にシャッタボタン１７が半押操作され表示消去命令が入力されると、そのシャッタボタン１７が半押操作されている間、撮影状態提示画像４６上からアイコン配置部４７と共に他対象物撮影条件アイコン４８乃至５１を消去する。
【０２４０】
すなわち、カメラ制御部２０は、シャッタボタン１７が半押操作されている間は、デジタル処理部３１を制御してディスプレイ１５Ｂに撮影状態提示画像４６のみを表示する。これによりカメラ制御部２０は、シャッタボタン１７が半押操作されている間は、撮影状態提示画像４６全体を見せて、被写体としての他対象物の撮影状態を的確に確認させることができる。
【０２４１】
ところで、ユーザは、このように提示された他対象物撮影条件の中から何れかを選択するのであれば、現在の他対象物撮影条件（例えば、初期設定された撮影条件）とは異なり、自分ではなかなか思いつかないような他対象物撮影条件を選択する可能性が高い。
【０２４２】
このため撮影条件提供装置３は、後述するように、他対象物を、現在の撮影状態とは、例えば、色相や彩度、明度、ホワイトバランス等により色の感じが極力異なるように写真撮影するための他対象物撮影条件を選定して提供している。
【０２４３】
また撮影条件提供装置３は、このように選定した他対象物撮影条件を、当該他対象物撮影条件で実際に他対象物を写真撮影して得られた写真画像のサムネイルでなる他対象物撮影条件アイコン４８乃至５１として提供している。
【０２４４】
そしてカメラ制御部２０は、この際、撮影状態提示画像４６の一部に、各他対象物撮影条件アイコン４８乃至５１を重ねて表示している。よってカメラ制御部２０は、撮影状態提示画像４６を他対象物撮影条件アイコン４８乃至５１としてのサムネイルと容易に見比べさせて、他対象物を所望の色の感じで写真撮影し得る他対象物撮影条件を選ばせることができる。
【０２４５】
実際にカメラ制御部２０は、撮影状態提示画像４６に他対象物撮影条件アイコン４８乃至５１を重ねて表示した場合、ユーザに、タップ操作により当該撮影状態提示画像４６上で他対象物撮影条件アイコン４８乃至５１を個別に指示させることができる。
【０２４６】
そしてカメラ制御部２０は、ユーザにより何れかの他対象物撮影条件アイコン４８乃至５１が指示されると、当該指示された他対象物撮影条件アイコン４８乃至５１の示す他対象物撮影条件が選択されたと認識する。
【０２４７】
ところで、カメラ制御部２０は、何れかの他対象物撮影条件アイコン４８乃至５１が指示されると、当該指示された他対象物撮影条件アイコン４８乃至５１の表示色をそのままにする。
【０２４８】
またカメラ制御部２０は、指示されていない残りの他対象物撮影条件アイコン４８乃至５１については、例えば、輝度を下げてグレー表示に変更する。これによりカメラ制御部２０は、ユーザに、他対象物撮影条件アイコン４８乃至５１として何れの他対象物撮影条件を選択したのかを容易に確認させることができる。
【０２４９】
ただし、カメラ制御部２０は、他対象物撮影条件が選択されても、例えば、当該選択された他対象物撮影条件を示す他対象物撮影条件アイコン４８乃至５１が２回連続してタップ操作されると、その他対象物撮影条件の選択を解除する。これによりカメラ制御部２０は、ユーザにより他対象物撮影条件が誤って選択されても、その選択を容易に解除することができる。
【０２５０】
因みに、カメラ制御部２０は、他対象物撮影条件の選択を解除すると、グレー表示していた他対象物撮影条件アイコン４８乃至５１の輝度を上げて、もとの表示状態に戻す。これによりカメラ制御部２０は、再び何れの他対象物撮影条件アイコン４８乃至５１も自由に指示し得ることを認識させることができる。
【０２５１】
このようにしてカメラ制御部２０は、撮影状態提示画像４６上で、他対象物撮影条件アイコン４８乃至５１を指示させるようにして、他対象物の写真撮影用の他対象物撮影条件を選択させることができる。
【０２５２】
そしてカメラ制御部２０は、撮影状態提示画像４６において他対象物撮影条件アイコン４８乃至５１以外の部分がタップ操作（１回）されると、他対象物撮影条件の選択を確定する（すなわち、終了する）選択確定命令が入力されたと判断する。
【０２５３】
カメラ制御部２０は、このように他対象物撮影条件の選択を確定する選択確定命令が入力されると、これに応じて不揮発メモリ３５から、当該選択された他対象物撮影条件に対応する条件設定情報を読み出す。またカメラ制御部２０は、その条件設定情報を用いて、その選択された他対象物撮影条件で他対象物を写真撮影するように自己やデジタル処理部３１等を設定する。
【０２５４】
この状態でカメラ制御部２０は、シャッタボタン１７の全押操作に応じて撮影命令が入力されると、その撮影命令の入力に応じてレンズ部２６やタイミングジェネレータ２８を制御する。これによりカメラ制御部２０は、他対象物撮影条件が示す露出量の撮像光により撮像素子２７の受光面を、当該他対象物撮影条件が示すシャッタスピードで写真撮影用に露光する。
【０２５５】
撮像素子２７は、このとき、受光面を露光した撮像光を光電変換して、当該露光した撮像光に応じた写真用光電変換信号を生成すると共に、当該生成した写真用光電変換信号をアナログ処理部２９に送出する。
【０２５６】
アナログ処理部２９は、撮像素子２７から与えられた写真用光電変換信号に、他対象物撮影条件に応じたアナログ処理を施して写真用撮像信号を生成する。またアナログ処理部２９は、その写真用撮像信号を、アナログデジタル変換部３０を介して写真用撮像データに変換してデジタル処理部３１に送出する。
【０２５７】
デジタル処理部３１は、この際、アナログデジタル変換部３０から与えられた写真用撮像データに、他対象物撮影条件に応じた写真撮影用のデジタル処理を施す。これによりデジタル処理部３１は、被写体としての他対象物を含む撮影範囲を写真撮影して得られる写真画像データを生成する。
【０２５８】
またデジタル処理部３１は、その写真画像データに圧縮符号化処理を施して圧縮画像データを生成する。さらにデジタル処理部３１は、その写真画像データに画素を間引く縮小処理を施してサムネイルデータも生成する。さらにまたデジタル処理部３１は、圧縮画像データを、そのサムネイルデータと共にカメラ制御部２０に送出する。
【０２５９】
そしてカメラ制御部２０は、このようにデジタル処理部３１から圧縮画像データ及びサムネイルデータが与えられると、上述と同様に画像ファイルを生成する。またカメラ制御部２０は、その画像ファイルをサムネイルデータと共に記録デバイス３４に記録する。
【０２６０】
このようにしてカメラ制御部２０は、ユーザに選択された他対象物撮影条件で他対象物を写真撮影し、その結果得られた写真画像データを画像ファイルとして記録することができる。
【０２６１】
因みに、カメラ制御部２０は、ユーザに複数の他対象物撮影条件を提示しても、これらが何ら選択されずにシャッタボタン１７が全押操作され撮影命令が入力されると、すでに設定していた撮影条件で他対象物を写真撮影する。すなわち、カメラ制御部２０は、このような場合、初期設定していた撮影条件や、ユーザにより手動で任意に設定されていた撮影条件で他対象物を写真撮影する。
【０２６２】
またカメラ制御部２０は、他対象物撮影状況にあると判断したときデジタルスチルカメラ２がネットワーク４に接続可能な環境にないと、この際も、すでに設定していた撮影条件で他対象物を写真撮影する。
【０２６３】
さらにカメラ制御部２０は、他対象物撮影状況において撮影条件提供装置３と通信しても、他対象物撮影条件アイコンが提供されないと、この場合も、すでに設定していた撮影条件で他対象物を写真撮影する。
【０２６４】
ところで、カメラ制御部２０は、例えば、操作部２３の再生ボタン１８が押下操作されると、又はタッチパネル１５Ａに対するタップ操作により動作モードを再生モードに切り替えるように指示されると、再生モードで動作する。
【０２６５】
カメラ制御部２０は、再生モード時、例えば、記録デバイス３４から、これに記録している複数のサムネイルデータを読み出す。そしてカメラ制御部２０は、これら複数のサムネイルデータを、デジタル処理部３１を介してディスプレイ１５Ｂに送出する。これによりカメラ制御部２０は、ディスプレイ１５Ｂに複数のサムネイルデータに基づくサムネイルを一覧表示する。
【０２６６】
この状態でカメラ制御部２０は、複数のサムネイルの中から任意に１つのサムネイルがタップ操作等で選択されると、記録デバイス３４から、当該選択されたサムネイルに対応する画像ファイルを読み出す。そしてカメラ制御部２０は、その画像ファイルから圧縮画像データを取り出してデジタル処理部３１に送出する。
【０２６７】
デジタル処理部３１は、この際、カメラ制御部２０の制御のもと、当該カメラ制御部２０から与えられた圧縮画像データに伸長復号処理を施して元の写真画像データを生成する。そしてデジタル処理部３１は、その写真画像データをディスプレイ１５Ｂに送出することにより、当該ディスプレイ１５Ｂに写真画像データに基づく写真画像を表示する。
【０２６８】
このようにしてカメラ制御部２０は、被写体を写真撮影して生成していた写真画像をディスプレイ１５Ｂに表示してユーザに見せることができる。
【０２６９】
またカメラ制御部２０は、例えば、タッチパネル１５Ａに対するタップ操作により動作モードを、写真画像データを撮影条件提供装置３に提供する画像提供モードに切り替えるように指示されると、その画像提供モードで動作する。
【０２７０】
カメラ制御部２０は、画像提供モード時、例えば、上述の再生モード時と同様に記録デバイス３４から複数のサムネイルデータを読み出してディスプレイ１５Ｂに複数のサムネイルを一覧表示する。
【０２７１】
この状態でカメラ制御部２０は、複数のサムネイルの中から、他対象物を写真撮影して生成したサムネイルがタップ操作等で選択されると、記録デバイス３４から、当該選択されたサムネイルに対応する画像ファイルを読み出す。
【０２７２】
すなわち、カメラ制御部２０は、他対象物を写真撮影して生成したサムネイルの選択に応じて記録デバイス３４から、当該選択したサムネイルに対応する、その他対象物を写真撮影して生成した画像ファイルを読み出す。因みに、以下の説明では、他対象物を写真撮影して生成した画像ファイルを、他対象物画像ファイルとも呼ぶ。
【０２７３】
そしてカメラ制御部２０は、その他対象物画像ファイルを、通信処理部４３及びネットワークインタフェース４４を順次介してネットワーク４上の撮影条件提供装置３に送信する。
【０２７４】
これによりデジタル処理部３１は、撮影条件提供装置３から他対象物撮影条件の提供を受けるだけではなく、当該撮影条件提供装置３に他対象物画像ファイルを提供して、これを他対象物撮影条件の提供に利用させることができる。
【０２７５】
［１−４  撮影条件提供装置３の回路構成］
次いで、図９を用いて、撮影条件提供装置３の回路構成について説明する。撮影条件提供装置３は、中央処理ユニット６０を有している。因みに、以下の説明では、撮影条件提供装置３に設けられた中央処理ユニット６０を、特に装置制御部６０とも呼ぶ。
【０２７６】
装置制御部６０は、ＲＯＭ６１又はハードディスクドライブ（HDD:Hard  Disc  Drive）６２に予め記憶されている各種プログラムを、バス６３を介して読み出してＲＡＭ６４に展開する。そして装置制御部６０は、ＲＡＭ６４上で展開した各種プログラムに従って撮影条件提供装置３全体を制御すると共に、各種処理を実行する。
【０２７７】
この場合、装置制御部６０は、ハードディスクドライブ６２に、予め他対象物撮影条件検索用のデータベース（以下、これを条件検索用データベースとも呼ぶ）を構築している。この条件検索用データベースには、例えば、各地の比較的有名な人工物（建築物や展示物）や自然物（山や川、海の風景）のような多数の他対象物を個別に識別可能な多数の他対象物識別情報が登録されている。
【０２７８】
因みに、他対象物識別情報は、他対象物の名称のように当該他対象物を具体的に特定するものではなく、単に他対象物を他の他対象物と区別するために、例えば個々の他対象物に順番に付された番号として生成されている。また条件検索用データベースには、他対象物の所在地（緯度及び経度で表される位置）を示す所在地情報が、当該他対象物の他対象物識別情報に対応付けて登録されている。
【０２７９】
そして装置制御部６０は、デジタルスチルカメラ２から他対象物画像ファイルが送信されると、当該他対象物画像ファイルを、ネットワークインタフェース６５及び通信処理部６６を順次介して受信する。
【０２８０】
装置制御部６０は、他対象物画像ファイルを受信すると、その他対象物画像ファイルから圧縮画像データ及びヘッダデータを取り出して、当該取り出した圧縮画像データをアイコン生成部６７に送出する。
【０２８１】
また装置制御部６０は、そのヘッダデータから撮影位置情報及び撮影方向情報と、条件設定情報とを取り出す。さらに装置制御部６０は、その撮影位置情報及び撮影方向情報が示す撮影位置及び撮影方向を用いて、当該撮影位置及び撮影方向で撮影可能な他対象物を探索するための探索範囲を設定する。因みに、装置制御部６０は、例えば、撮影位置を中心点とし、所定の半径及び所定の中心角で、撮影方向へ徐々に広がる扇形の範囲を探索範囲とする。
【０２８２】
さらにまた装置制御部６０は、その探索範囲を、条件検索用データベース内の複数の所在地情報が示す所在地と順次比較するようにして、当該探索範囲内の所在地を示す所在地情報を検出する。
【０２８３】
そして装置制御部６０は、その検出した所在地情報が対応付けられた他対象物識別情報を、その撮影位置及び撮影方向で撮影された他対象物を識別する他対象物識別情報として特定する。
【０２８４】
アイコン生成部６７は、装置制御部６０から圧縮画像データが与えられると、その圧縮画像データに伸長復号処理を施して元の写真画像データを生成する。またアイコン生成部６７は、その写真画像データに画素を間引く縮小処理を施してサムネイルでなる他対象物撮影条件アイコンを生成する。
【０２８５】
さらにアイコン生成部６７は、この際、その写真画像データに基づく写真画像全体から画像の特徴量（以下、これを写真画像特徴量とも呼ぶ）として、例えば、複数の輪郭線の形状と、これら複数の輪郭線同士の位置関係と、色等とを抽出する。そしてアイコン生成部６７は、その他対象物撮影条件アイコンと、写真画像特徴量とを装置制御部６０に送出する。
【０２８６】
装置制御部６０は、アイコン生成部６７から他対象物撮影条件アイコン及び写真画像特徴量が与えられると、その他対象物撮影条件アイコン及び写真画像特徴量と、このときヘッダデータから取り出した条件設定情報とをまとめて条件登録情報とする。
【０２８７】
そして装置制御部６０は、その条件登録情報をハードディスクドライブ６２に記憶するようにして、条件検索用データベースに当該条件登録情報を、このとき特定した他対象物識別情報に対応付けて登録する。
【０２８８】
このようにして装置制御部６０は、多数のデジタルスチルカメラから送信される他対象物画像ファイルをもとに条件登録情報を生成すると共に、その条件登録情報を、他対象物識別情報で分類するようにして条件検索用データベースに登録し蓄積する。
【０２８９】
一方、装置制御部６０は、デジタルスチルカメラ２から問合信号が送信されると、当該問合信号を、ネットワークインタフェース６５及び通信処理部６６を順次介して受信する。この際、装置制御部６０は、その問合信号からカメラ位置情報及びカメラ方向情報を取り出す。
【０２９０】
また装置制御部６０は、そのカメラ位置情報及びカメラ方向情報が示すカメラ位置及びカメラ方向を用いて、当該カメラ位置及びカメラ方向で撮影可能な他対象物を探索するための探索範囲を設定する。因みに、装置制御部６０は、このとき例えば、上述と同様にカメラ位置を中心点とし、所定の半径及び所定の中心角で、カメラ方向へ徐々に広がる扇形の範囲を探索範囲とする。
【０２９１】
さらに装置制御部６０は、その探索範囲を、条件検索用データベース内の複数の所在地情報が示す所在地と順次比較するようにして、当該探索範囲内の所在地を示す所在地情報を検出する。
【０２９２】
そして装置制御部６０は、条件検索用データベースにおいて、その検出した所在地情報が対応付けられた他対象物識別情報を特定する。また装置制御部６０は、条件検索用データベースにおいて、その特定した他対象物識別情報に、予め選定された所定数以上の条件登録情報をすでに対応付けて登録しているか否かを判別する。
【０２９３】
その結果、装置制御部６０は、特定した他対象物識別情報にすでに所定数以上の条件登録情報を対応付けていると、これら条件登録情報が示す他対象物撮影条件を提供用に厳選しても、予め選定された個数の他対象物撮影条件を提供用に確保し得ると判断する。すなわち、装置制御部２０は、この際、複数の他対象物撮影条件を提示し得ると判断する。
【０２９４】
装置制御部６０は、このように複数の他対象物撮影条件を提示し得ると判断すると、その特定した他対象物識別情報を格納した提供可能通知信号を生成する。また装置制御部６０は、その提供可能通知信号を、通信処理部６６及びネットワークインタフェース６５を順次介してデジタルスチルカメラ２に返送する。
【０２９５】
そして装置制御部６０は、デジタルスチルカメラ２に提供可能通知信号を返信した結果、そのデジタルスチルカメラ２から条件要求信号が送信されると、その条件要求信号を、ネットワークインタフェース６５及び通信処理部６６を順次介して受信する。
【０２９６】
装置制御部６０は、このように条件要求信号を受信すると、当該受信した条件要求信号から他対象物識別情報及び単位画像特徴量を取り出す。また装置制御部６０は、ハードディスクドライブ７６２から、その他対象物識別情報に対応付けている条件登録情報を全て読み出す。
【０２９７】
さらに装置制御部６０は、単位画像特徴量と、各条件登録情報に含まれる写真画像特徴量と基づき、これら複数の写真画像特徴量から、単位画像特徴量が抽出された単位画像と構図が似通っている写真画像の写真画像特徴量を絞り込む。
【０２９８】
また装置制御部６０は、絞り込んだ写真画像特徴量の中から、その単位画像と色相や彩度、明度、ホワイトバランス等の違いが大きい写真画像の、上位所定個数の写真画像特徴量を選定する。
【０２９９】
装置制御部６０は、このように複数の写真画像特徴量を選定すると、その写真画像特徴量を有する写真画像を得たときの写真撮影の他対象物撮影条件を、ユーザに提示する他対象物撮影条件として選定する。
【０３００】
そして装置制御部６０は、このとき、その選定した他対象物撮影条件に対応する（すなわち、選定した写真画像特徴量を含む）条件登録情報から、当該他対象物撮影条件を提示するための他対象物撮影条件アイコンを取り出す。
【０３０１】
また装置制御部６０は、その選定した他対象物撮影条件に対応する（すなわち、選定した写真画像特徴量を含む）条件登録情報から、当該他対象物撮影条件の設定に使用する条件設定情報も取り出す。
【０３０２】
このようにして装置制御部６０は、複数の条件登録情報からそれぞれ他対象物撮影条件アイコン及び条件設定情報を取り出すと、他対象物撮影条件毎の、当該他対象物撮影条件アイコンと条件設定情報とを対応付けて格納した条件提供信号を生成する。
【０３０３】
装置制御部６０は、条件提供信号を生成すると、当該生成した条件提供信号を、通信処理部６６及びネットワークインタフェース６５を順次介してデジタルスチルカメラ２に送信する。これにより装置制御部６０は、デジタルスチルカメラ２を介してユーザに複数の他対象物撮影条件を他対象物撮影条件アイコンとして提示することができる。
【０３０４】
因みに、装置制御部６０は、上述にように他対象物識別情報を特定しても、当該他対象物識別情報に所定数以上の条件登録情報を未だ対応付けて登録してはいないと、予め選定された個数の他対象物撮影条件を提供用に確保し得ないと判断する。すなわち、装置制御部２０は、この際、複数の他対象物撮影条件を提示し得ないと判断する。
【０３０５】
装置制御部６０は、このように他対象物撮影条件を提示し得ないと判断すると、これを通知するための提供不可通知信号を生成する。そして装置制御部６０は、その提供不可通知信号を、通信処理部６６及びネットワークインタフェース６５を順次介してデジタルスチルカメラ２に返送する。
【０３０６】
［１−５  撮影条件設定処理］
次いで、図１０及び図１１を用いて、デジタルスチルカメラ２及び撮影条件提供装置３が実行する撮影条件設定処理手順について説明する。
【０３０７】
デジタルスチルカメラ２においてカメラ制御部２０は、撮影モード時、条件提示要求命令が入力されると、ＲＯＭ２１に予め記憶された撮影条件提示設定プログラムに従い、図１０（Ａ）に示す撮影条件提示設定処理手順ＲＴ１を開始する。
【０３０８】
カメラ制御部２０は、撮影条件提示設定処理手順ＲＴ１を開始すると、ステップＳＰ１において、デジタル処理部３１に、単位画像データを生成する毎に顔検出処理を実行させると共に、その実行結果に基づき、現在、人物撮影状況にあるか否かを判断する。
【０３０９】
このステップＳＰ１において肯定結果が得られると、このことは、現在、１又は複数の人物を撮影状態の確認用に連続撮影していることを表している。カメラ制御部２０は、ステップＳＰ１において、かかる肯定結果を得ると、現在、人物撮影状況にあると判断して、次のステップＳＰ２に移る。
【０３１０】
ステップＳＰ２においてカメラ制御部２０は、この際、デジタル処理部３１により検出された人物の顔に基づき、現在の人物撮影状況において設定可能な１又は複数の人物撮影条件を選定して、次のステップＳＰ３に移る。
【０３１１】
ステップＳＰ３においてカメラ制御部２０は、このときディスプレイ１５Ｂに表示している撮影状態提示画像３７に、その選定した人物撮影条件を提示するための人物撮影条件アイコン３９乃至４１を重ねて表示して、次のステップＳＰ４に移る。
【０３１２】
ステップＳＰ４においてカメラ制御部２０は、ディスプレイ１５Ｂに表示した人物撮影条件アイコン３９乃至４１を介して人物撮影条件が選択されたか否かを判別する。このステップＳＰ４において肯定結果が得られると、このことは、このとき連続撮影している人物用に、使ってみたい人物撮影条件があり、その人物撮影条件が選ばれたことを表している。カメラ制御部２０は、ステップＳＰ４において、かかる肯定結果を得ると、次のステップＳＰ５に移る。
【０３１３】
ステップＳＰ５においてカメラ制御部２０は、選択された人物撮影条件を、対応する条件設定情報を用いて設定して、次のステップＳＰ６に移る。これによりステップＳＰ６においてカメラ制御部２０は、撮影条件提示設定処理手順ＲＴ１を終了する。
【０３１４】
ところで、上述のステップＳＰ１において否定結果が得られると、このことは、現在、他対象物を撮影状態の確認用に連続撮影していることを表している。カメラ制御部２０は、ステップＳＰ１において、かかる否定結果を得ると、現在、他対象物撮影状況にあると判断して、ステップＳＰ７に移る。
【０３１５】
ステップＳＰ７においてカメラ制御部２０は、現在、デジタルスチルカメラ２がネットワーク４に接続可能な環境にあるか否かを判別する。このステップＳＰ７において肯定結果が得られると、このことは、無線ＬＡＮ用のアクセスポイントの通信エリア内で、他対象物を撮影状態の確認用に連続撮影していることを表している。カメラ制御部２０は、ステップＳＰ７において、かかる肯定結果を得ると、次のステップＳＰ８に移る。
【０３１６】
ステップＳＰ８においてカメラ制御部２０は、現在のカメラ位置及びカメラ方向を検出すると共に、当該検出したカメラ位置及びカメラ方向を示すカメラ位置情報及びカメラ方向情報を格納した問合信号を生成する。そしてカメラ制御部２０は、その問合信号を、通信処理部４３及びネットワークインタフェース４４を順次介して撮影条件提供装置３に送信して、次のステップＳＰ９に移る。
【０３１７】
このとき、撮影条件提供装置３の装置制御部６０は、ＲＯＭ６１又はハードディスクドライブ６２に予め記憶された撮影条件提供プログラムに従い、図１１（Ｂ）に示す撮影条件提供処理手順ＲＴ２を開始している。
【０３１８】
そして装置制御部６０は、撮影条件提供処理手順ＲＴ２を開始すると、ステップＳＰ２１において、デジタルスチルカメラ２から送信される問合信号を受信することを待ち受ける。そして装置制御部６０は、デジタルスチルカメラ２から送信された問合信号を、ネットワークインタフェース６５及び通信処理部６６を順次介して受信すると、次のステップＳＰ２２に移る。
【０３１９】
ステップＳＰ２２において装置制御部６０は、その問合信号に格納された現在のカメラ位置及びカメラ方向に基づき、条件検索用データベース内で、デジタルスチルカメラ２に提供可能な他対象物撮影条件を探索する。そして装置制御部６０は、その探索結果に基づき、現在のデジタルスチルカメラ２の他対象物撮影状況に応じて提供可能な他対象物撮影条件が存在するか否かを判別する。
【０３２０】
このステップＳＰ２２において肯定結果が得られると、このことは、現在のデジタルスチルカメラ２の他対象物撮影状況に応じて提供可能な複数の他対象物撮影条件を、すでに条件検索用データベースに登録していることを表している。装置制御部６０は、ステップＳＰ２２において、かかる肯定結果を得ると、次のステップＳＰ２３に移る。
【０３２１】
そしてステップＳＰ２３において装置制御部６０は、デジタルスチルカメラ２に提供可能な他対象物撮影条件を特定するための他対象物識別情報を格納した提供可能通知信号を生成する。そして装置制御部６０は、その提供可能通知信号を、通信処理部６６及びネットワークインタフェース６５を順次介してデジタルスチルカメラ２に送信して、次のステップＳＰ２４に移る。
【０３２２】
このとき、ステップＳＰ９においてカメラ制御部２０は、撮影条件提供装置３から送信された信号を、ネットワークインタフェース４４及び通信処理部４３を順次介して受信する。
【０３２３】
そしてカメラ制御部２０は、その受信した信号に基づき、他対象物撮影条件が取得可能であるか否かを判別する。ただし、カメラ制御部２０は、このとき撮影条件提供装置３から送信された提供可能通知信号を受信していると、肯定結果を得て、次のステップＳＰ１０に移る。
【０３２４】
ステップＳＰ１０においてカメラ制御部２０は、デジタル処理部３１により、この時点に生成した単位画像から単位画像特徴量を抽出させる。またカメラ制御部２０は、提供可能通知信号から他対象物識別情報を取り出し、その単位画像特徴量を他対象物識別情報と共に格納した条件要求信号を生成する。
【０３２５】
そしてカメラ制御部２０は、その条件要求信号を、通信処理部４３及びネットワークインタフェース４４を順次介して撮影条件提供装置３に送信して、次のステップＳＰ１１に移る。
【０３２６】
このときステップＳＰ２４において装置制御部６０は、デジタルスチルカメラ２から送信される条件要求信号を受信することを待ち受けている。そして装置制御部６０は、デジタルスチルカメラ２から送信された条件要求信号を、ネットワークインタフェース６５及び通信処理部６６を順次介して受信すると、次のステップＳＰ２５に移る。
【０３２７】
ステップＳＰ２５において装置制御部６０は、条件要求信号から他対象物識別情報及び単位画像特徴量を取り出し、条件検索用データベースから、その他対象物識別情報で識別される複数の条件登録情報を読み出す。
【０３２８】
また装置制御部６０は、単位画像特徴量と、複数の条件登録情報に含まれる写真画像特徴量とに基づき、デジタルスチルカメラ２に提供する複数の他対象物撮影条件を選定して、次のステップＳＰ２６に移る。
【０３２９】
ステップＳＰ２６において装置制御部６０は、条件登録情報から、その選定した他対象物撮影条件を提示するための他対象物撮影条件アイコンと、当該他対象物撮影条件の設定に使用する条件設定情報とを取り出す。また装置制御部６０は、選定した他対象物撮影条件毎の他対象物撮影条件アイコン及び条件設定情報を対応付けて格納した条件提供信号を生成する。
【０３３０】
そして装置制御部６０は、その条件提供信号を、通信処理部６６及びネットワークインタフェース６５を順次介してデジタルスチルカメラ２に送信して、ステップＳＰ２１に移る。
【０３３１】
このとき、ステップＳＰ１１においてカメラ制御部２０は、撮影条件提供装置３から送信される条件提供信号を受信することを待ち受けている。そしてカメラ制御部２０は、撮影条件提供装置３から送信された条件提供信号を、ネットワークインタフェース４４及び通信処理部４３を順次介して受信すると、次のステップＳＰ１２に移る。
【０３３２】
ステップＳＰ１２においてカメラ制御部２０は、条件提供信号から複数組の他対象物撮影条件アイコン及び条件設定情報を取り出す。そしてカメラ制御部２０は、このときディスプレイ１５Ｂに表示している撮影状態提示画像４６に、その条件提供信号から取り出した他対象物撮影条件アイコン４８乃至５１を重ねて表示して、次のステップＳＰ１３に移る。
【０３３３】
ステップＳＰ１３においてカメラ制御部２０は、ディスプレイ１５Ｂに表示した他対象物撮影条件アイコン４８乃至５１を介して他対象物撮影条件が選択されたか否かを判別する。
【０３３４】
このステップＳＰ１３において肯定結果が得られると、このことは、このとき連続撮影している他対象物の写真撮影用に気に入った他対象物撮影条件があり、その他対象物撮影条件が選ばれたことを表している。カメラ制御部２０は、ステップＳＰ１３において、かかる肯定結果を得ると、次のステップＳＰ１４に移る。
【０３３５】
ステップＳＰ１４においてカメラ制御部２０は、選択された他対象物撮影条件を、対応する条件設定情報を用いて設定して、ステップＳＰ６に移る。これによりステップＳＰ６においてカメラ制御部２０は、撮影条件提示設定処理手順ＲＴ１を終了する。
【０３３６】
ところで、上述のステップＳＰ２２において否定結果が得られると、このことは、現在のデジタルスチルカメラ２の他対象物撮影状況に応じて提供可能な他対象物撮影条件を、条件検索用データベースに未だ十分には登録していないことを表している。装置制御部６０は、ステップＳＰ２２において、かかる否定結果を得ると、ステップＳＰ２７に移る。
【０３３７】
この際、ステップＳＰ２７において装置制御部６０は、デジタルスチルカメラ２に提供可能な他対象物撮影条件が存在しないことを通知するための提供不可通知信号を生成する。そして装置制御部６０は、その提供不可通知信号を、通信処理部６６及びネットワークインタフェース６５を順次介してデジタルスチルカメラ２に送信して、ステップＳＰ２１に戻る。
【０３３８】
このようにして装置制御部６０は、撮影条件提供処理手順ＲＴ２を開始すると、デジタルスチルカメラ２から送信される問合信号の受信を待ち受け、当該問合信号を受信すると、その都度、ステップＳＰ２１乃至ステップＳＰ２７の処理を実行する。
【０３３９】
一方、ステップＳＰＳＰ９においてカメラ制御部２０は、撮影条件提供装置３から送信された信号として提供不可通知信号を、ネットワークインタフェース４４及び通信処理部４３を順次介して受信すると、否定結果を得て、ステップＳＰ６に移る。そしてステップＳＰ６においてカメラ制御部２０は、このときの撮影条件提示設定処理を中断するようにして撮影条件提示設定処理手順ＲＴ１を終了する。
【０３４０】
また上述のステップＳＰ４において否定結果が得られると、このことは、このとき連続撮影している人物用に使ってみたいと思う人物撮影条件がなかったことを表している。カメラ制御部２０は、ステップＳＰ４において、かかる否定結果を得ると、ステップＳＰ６に移り、このときの撮影条件提示設定処理を中断するようにして撮影条件提示設定処理手順ＲＴ１を終了する。
【０３４１】
さらに上述のステップＳＰ７において否定結果が得られると、このことは、無線ＬＡＮ用のアクセスポイントの通信エリアから外れた位置で、他対象物を撮影状態の確認用に連続撮影していることを表している。
【０３４２】
カメラ制御部２０は、ステップＳＰ７において、かかる否定結果を得ると、ステップＳＰ６に移り、このときの撮影条件提示設定処理を中断するようにして撮影条件提示設定処理手順ＲＴ１を終了する。
【０３４３】
さらに上述のステップＳＰ１３において否定結果が得られると、このことは、このとき連続撮影している他対象物の写真撮影用に気に入った他対象物撮影条件が見つからずに、選択が断念されたことを表している。カメラ制御部２０は、ステップＳＰ１３において、かかる否定結果を得ると、ステップＳＰ６に移り、このときの撮影条件提示設定処理を中断するようにして撮影条件提示設定処理手順ＲＴ１を終了する。
【０３４４】
［１−６  実施の形態の動作及び効果］
以上の構成において、デジタルスチルカメラ２は、撮影モード時、撮影条件提示命令が入力されると、単位画像データを順次生成する毎に顔検出処理を実行する。デジタルスチルカメラ２は、その順次実行する顔検出処理により単位画像において人物の顔を検出すると、現在、人物撮影状況にあると判断する。この際、デジタルスチルカメラ２は、単位画像において検出した人物に個別に適用するようにして、人物の写真撮影用に設定可能な人物撮影条件を選定する。
【０３４５】
そしてデジタルスチルカメラ２は、ディスプレイ１５Ｂに撮影状態提示画像３７を表示すると共に、当該撮影状態提示画像３７に、その選定した人物撮影条件を提示するための人物撮影条件アイコン３９乃至４１を重ねて表示する。
【０３４６】
このようにしてデジタルスチルカメラ２は、ディスプレイ１５Ｂに表示した人物撮影条件アイコン３９乃至４１として人物撮影条件が選択されると、当該選択された人物撮影条件を、対応する条件設定情報を使用して設定する。
【０３４７】
一方、デジタルスチルカメラ２は、順次実行する顔検出処理により単位画像において人物の顔を全く検出しないと、現在、他対象物撮影状況にあると判断する。この際、デジタルスチルカメラ２は、撮影条件提供装置３に、現在のカメラ位置及びカメラ方向で撮影可能な他対象物の写真撮影用に設定可能な他対象物撮影条件を要求する。
【０３４８】
その結果、デジタルスチルカメラ２は、撮影条件提供装置３から、他対象物撮影条件を提示するための複数の他対象物撮影条件アイコン４８乃至５１と、その他対象物撮影条件の設定に使用する条件設定情報とが提供されると、これを取得する。
【０３４９】
そしてデジタルスチルカメラ２は、ディスプレイ１５Ｂに撮影状態提示画像４６を表示すると共に、当該撮影状態提示画像４６に、その取得した他対象物撮影条件アイコン４８乃至５１を重ねて表示する。
【０３５０】
このようにしてデジタルスチルカメラ２は、ディスプレイ１５Ｂに表示した他対象物撮影条件アイコン４８乃至５１として他対象物撮影条件が選択されると、当該選択された他対象物撮影条件を、対応する条件設定情報を使用して設定する。
【０３５１】
従って、デジタルスチルカメラ２は、現在の人物撮影状況や他対象物撮影状況に応じて、その人物撮影状況や他対象物撮影状況に合った人物撮影条件や他対象物撮影条件を選択させることができる。
【０３５２】
以上の構成によれば、デジタルスチルカメラ２は、撮影モード時、被写体を撮影状態の確認用に連続撮影して得られる撮影状態提示画像３７及び４６に基づき、現在の撮影状況を人物撮影状況や他対象物撮影状況にあると判断し、当該判断した人物撮影状況や他対象物撮影状況で設定可能な撮影条件を提示するための人物撮影条件アイコン３９乃至４１や他対象物撮影条件アイコン４８乃至５１を表示するようにした。これによりデジタルスチルカメラ２は、撮影状況に応じて、その撮影状況に合った撮影条件を選択させることができる。よってデジタルスチルカメラ２は、撮影状況に合った所望の撮影条件を的確に設定することができる。
【０３５３】
またデジタルスチルカメラ２は、ディスプレイ１５Ｂに表示した撮影状態提示画像３７及び４６に、選択可能な人物撮影条件や他対象物撮影条件を示す人物撮影条件アイコン３９乃至４１や他対象物撮影条件アイコン４８乃至５１を重ねて表示するようにした。
【０３５４】
従ってデジタルスチルカメラ２は、撮影状態提示画像３７及び４６を介して被写体の撮影状態を確認させながら、人物撮影条件アイコン３９乃至４１や他対象物撮影条件アイコン４８乃至５１として所望の人物撮影条件や他対象物撮影条件を選択させることができる。
【０３５５】
さらにデジタルスチルカメラ２は、ディスプレイ１５Ｂに複数の人物撮影条件アイコン３９乃至４１や複数の他対象物撮影条件アイコン４８乃至５１を一列に並べて表示するようにした。従ってデジタルスチルカメラ２は、設定可能な人物撮影条件や他対象物撮影条件が複数存在する場合、これらを容易に確認させることができる。
【０３５６】
さらにデジタルスチルカメラ２は、人物撮影条件アイコン３９乃至４１を表示した際、人物撮影条件を示す人物撮影条件アイコン３９乃至４１を、人物撮影条件を適用する人物の顔の上までドラッグさせて、人物撮影条件と人物とを合せて選択させるようにした。従ってデジタルスチルカメラ２は、人物と人物撮影条件とを組み合わせて選択させるための操作を簡易化することができる。
【０３５７】
またデジタルスチルカメラ２は、この際、表示形態を変更するように要求されると、撮影状態提示画像３７上で人物撮影条件アイコン３９乃至４１を、これが示す人物撮影条件を適用可能な人物の顔に近接させて表示するようにした。従ってデジタルスチルカメラ２は、撮影状態提示画像３７上で、人物撮影条件と、その人物撮影条件を適用可能な人物ととの組み合せを容易に認識させることができる。
【０３５８】
さらにデジタルスチルカメラ２は、この際、人物撮影条件アイコン３９乃至４１を指示させるだけで、当該人物撮影条件アイコン３９乃至４１が示す人物撮影条件と、その人物撮影条件アイコン３９乃至４１が近接する顔の人物とを合せて選択させるようにした。従ってデジタルスチルカメラ２は、人物と人物撮影条件とを組み合わせて選択させるための操作をさらに簡易化することができる。
【０３５９】
＜２．変形例＞
［２−１  変形例１］
なお上述した実施の形態においては、人物撮影状況にあると判断した際、人物に個別に適用するようにして設定可能な種々の人物撮影条件を選定させるようにした場合について述べた。
【０３６０】
しかしながら本発明は、これに限らず、人物撮影状況にあると判断した際、複数の人物全てに一様に適用する人物撮影条件や、写真画像全体に適用する人物撮影条件、複数の人物のうち所定の割合以上の人物に適用する人物撮影条件を選定させるようにしても良い。
【０３６１】
このように撮影される人物全てに一様に適用する人物撮影条件としては、フラッシュを使用して写真撮影する際に赤目を防止するためのものや、フォーカスを調整して人物全ての輪郭を明確にするようなもの等がある。
【０３６２】
また写真画像全体に適用する人物撮影条件としては、フラッシュを使用して写真撮影する際に、人物の背景が黒くつぶれることを防止して人物と共に背景もきれいに写すようなものや、逆光でも人物及び背景をはっきり見えるようにするもの等がある。
【０３６３】
さらに複数の人物のうち所定の割合以上の人物に適用する人物撮影条件としては、所定の割合以上の人物が笑顔になったときや、撮影レンズ１１に向いたときに自動的に写真撮影するようなもの等がある。
【０３６４】
［２−２  変形例２］
また上述した実施の形態においては、撮影条件提示設定処理において、ディスプレイ１５Ｂに撮影状態提示画像３７及び４６と共に人物撮影条件アイコン３９乃至４１や他対象物撮影条件アイコン４８乃至５１を表示するようにした場合について述べた。
【０３６５】
しかしながら本発明は、これに限らず、撮影条件提示設定処理において、ディスプレイ１５Ｂに撮影状態提示画像３７及び４６は表示せずに、人物撮影条件アイコン３９乃至４１や他対象物撮影条件アイコン４８乃至５１のみを表示するようにしても良い。
【０３６６】
また本発明は、このように撮影条件提示設定処理において、ディスプレイ１５Ｂに人物撮影条件アイコン３９乃至４１や他対象物撮影条件アイコン４８乃至５１のみを表示する場合、これらをマトリクス状に一覧表示するようにしても良い。
【０３６７】
さらに本発明は、撮影条件提示設定処理において、ディスプレイ１５Ｂに撮影状態提示画像３７及び４６を全体的に縮小し、又は画像水平方向や画像垂直方向に縮めて表示する。そして本発明は、その縮小や縮めた表示で生じた空部分に、人物撮影条件アイコン３９乃至４１や他対象物撮影条件アイコン４８乃至５１を縦及び又は横に一列や複数列に並べて表示するようにしても良い。
【０３６８】
［２−３  変形例３］
さらに上述した実施の形態においては、人物撮影状況にあると判断した際、複数の人物撮影条件アイコン３９乃至４１を一列に表示し、表示形態の変更指示に応じて人物撮影条件アイコン３９乃至４１を人物の顔に近接させて表示するようにした場合について述べた。
【０３６９】
しかしながら本発明は、これに限らず、人物撮影状況にあると判断した際、複数の人物撮影条件アイコン３９乃至４１を一列には表示せず、人物撮影条件アイコン３９乃至４１を、表示の開始時点から人物の顔に近接させてのみ表示するようにしても良い。
【０３７０】
これにより本発明は、表示形態の変更を指示させることなく、人物撮影条件アイコン３９乃至４１と、当該人物撮影条件アイコン３９乃至４１が示す人物撮影条件を適用可能な人物との組み合わせを認識させることができる。
【０３７１】
［２−４  変形例４］
さらに上述した実施の形態においては、被写体を人物と他対象物との二つに大別して撮影状況を判断するようにした場合について述べた。しかしながら本発明は、これに限らず、人物以外の他対象物をさらに細別して撮影状況を判断するようにしても良い。
【０３７２】
ところで、本発明は、他対象物を細別する場合、例えば、乗り物や、動物、昆虫、植物等それぞれについて、上述の顔特徴量のように、比較基準とする種々の画像特徴量を用いて単位画像に、これらが写っているかどうかを検出するようにしても良い。
【０３７３】
これにより本発明は、被写体としての乗り物（自動車や電車、飛行機等）や動物（犬や猫、虎等）、昆虫（カブトムシやクワガタムシ、蝶等）等を写真撮影するような撮影状況にあると判断することができる。
【０３７４】
［２−５  変形例５］
さらに上述した実施の形態においては、他対象物撮影状況にあると判断した際、ネットワーク４上の撮影条件提供装置３から他対象物撮影条件アイコン４８乃至５１と条件設定情報とを取得するようにした場合について述べた。
【０３７５】
しかしながら本発明は、これに限らず、観光地等で他対象物撮影状況にあると判断すると、自己の周囲に存在する他のデジタルスチルカメラやデジタルビデをカメラ等から他対象物撮影条件アイコンと条件設定情報とを取得するようにしても良い。
【０３７６】
［２−６  変形例６］
さらに上述した実施の形態においては、本発明の撮影条件設定装置を、図１乃至図１１について上述したデジタルスチルカメラ２に適用するようにした場合について述べた。しかしながら本発明は、これに限らず、写真撮影の機能を有するコンピュータ、携帯電話機、ＰＤＡ（Personal  Digital  Assistance）、携帯型ゲーム機器等の情報処理装置に適用することができる。また本発明は、写真撮影の機能を有するデジタルビデオカメラ等のように、この他種々の構成の撮影条件設定装置にも適用することができる。
【０３７７】
［２−７  変形例７］
さらに上述した実施の形態においては、本発明による撮影条件設定プログラムを、図１乃至図１１について上述したＲＯＭ２１に予め記憶された撮影条件提示設定プログラムに適用した。そしてカメラ制御部２０が、その撮影条件提示設定プログラムに従って図１０及び図１１について上述した撮影条件提示設定処理手順ＲＴ１を実行するようにした場合について述べた。
【０３７８】
しかしながら本発明は、これに限らず、デジタルスチルカメラ２が撮影条件設定プログラムの記録されたコンピュータ読取可能な記録媒体によって当該撮影条件設定プログラムをインストールしても良い。そしてカメラ制御部２０が、そのインストールした撮影条件設定プログラムに従って撮影条件提示設定処理手順ＲＴ１を実行するようにしても良い。
【０３７９】
またデジタルスチルカメラ２は、ローカルエリアネットワークやインターネット、デジタル衛星放送等の有線及び無線通信媒体を利用して外部から撮影条件設定プログラムをインストールするようにしても良い。
【０３８０】
そして撮影条件設定プログラムをデジタルスチルカメラ２にインストールして実行可能な状態にするためのコンピュータ読取可能な記録媒体としては、例えばフレキシブルディスクのようなパッケージメディアで実現しても良い。
【０３８１】
また撮影条件設定プログラムをデジタルスチルカメラ２にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０３８２】
さらに撮影条件設定プログラムをデジタルスチルカメラ２にインストールして実行可能な状態にするためのコンピュータ読取可能な記録媒体としては、ＤＶＤ（Digital  Versatile  Disc）等のパッケージメディアで実現しても良い。
【０３８３】
さらに、かかるコンピュータ読取可能な記録媒体としては、パッケージメディアのみならず、各種プログラムが一時的もしくは永続的に記録される半導体メモリや磁気ディスク等で実現しても良い。
【０３８４】
また、これらコンピュータ読取可能な記録媒体に撮影条件設定プログラムを記録する手段としては、ローカルエリアネットワークやインターネット、デジタル衛星放送等の有線及び無線通信媒体を利用しても良い。さらにコンピュータ読取可能な記録媒体に撮影条件設定プログラムを記録するには、ルータやモデム等の各種通信インタフェースを介して記録するようにしても良い。
【０３８５】
［２−８  変形例８］
さらに上述した実施の形態においては、表示部として、図１乃至図１１について上述した液晶ディスプレイでなるディスプレイ１５Ｂを適用するようにした場合について述べた。しかしながら本発明は、これに限らず、有機ＥＬ（Electro  Luminescence）ディスプレイのように、この他種々の表示部を広く適用することができる。
【０３８６】
［２−９  変形例９］
さらに上述した実施の形態においては、被写体を撮像して画像データを生成する撮像部として、図１乃至図１１について上述したレンズ部２６、撮像素子２７、アナログ処理部２８、アナログデジタル変換部３０及びデジタル処理部３１を適用するようにした場合について述べた。しかしながら本発明は、これに限らず、この他種々の構成の撮像部を広く適用することができる。
【０３８７】
［２−１０  変形例１０］
さらに上述した実施の形態においては、撮像部により生成された画像データに基づき、どのような被写体を撮影する撮影状況にあるのかを判断する撮影状況判断部として、図１乃至図１１について上述したデジタル処理部３１及びカメラ制御部２０を適用するようにした場合について述べた。
【０３８８】
しかしながら本発明は、これに限らず、撮影状況判断部をマイクロプロセッサやＤＳＰ（Digital  Signal  Processor）に適用することができる。また本発明は、撮像部により生成された画像データに基づき、どのような被写体を撮影する撮影状況にあるのかを判断するハードウェア回路構成の撮影状況判断回路等のように、この他種々の構成の撮影状況判断部を広く適用することもできる。
【０３８９】
［２−１１  変形例１１］
さらに上述した実施の形態においては、撮影状況判断部により撮影状況が判断されると、当該判断された撮影状況で設定可能な撮影条件を示す１又は複数の撮影条件アイコンを表示部に表示する表示制御部として、図１乃至図１１について上述したカメラ制御部２０を適用するようにした場合について述べた。
【０３９０】
しかしながら本発明は、これに限らず、表示制御部をマイクロプロセッサやＤＳＰに適用することができる。また本発明は、撮影状況判断部により撮影状況が判断されると、当該判断された撮影状況で設定可能な撮影条件を示す１又は複数の撮影条件アイコンを表示部に表示するハードウェア回路構成の表示制御回路等のように、この他種々の構成の表示制御部を広く適用することもできる。
【０３９１】
［２−１２  変形例１２］
さらに上述した実施の形態においては、撮像部により生成された画像データに基づき、当該画像データに基づく画像に写っている人物の顔を検出する顔検出部として、図１乃至図１１について上述したデジタル処理部３１を適用するようにした場合について述べた。
【０３９２】
しかしながら本発明は、これに限らず、顔検出部をマイクロプロセッサやＤＳＰに適用することができる。また本発明は、撮像部により生成された画像データに基づき、当該画像データに基づく画像に写っている人物の顔を検出するハードウェア回路構成の顔検出回路等のように、この他種々の構成の顔検出部を広く適用することもできる。
【０３９３】
［２−１３  変形例１３］
さらに上述した実施の形態においては、顔検出部により画像に写っている人物の顔が検出されると、被写体として人物を撮影する撮影状況にあると判断し、顔検出部により画像から人物の顔が検出されないと、被写体として人物以外の他対象物を撮影する撮影状況にあると判断する判断部として、図１乃至図１１について上述したカメラ制御部２０を適用するようにした場合について述べた。
【０３９４】
しかしながら本発明は、これに限らず、マイクロプロセッサやＤＳＰに適用することができる。また本発明は、顔検出部により画像に写っている人物の顔が検出されると、被写体として人物を撮影する撮影状況にあると判断し、顔検出部により画像から人物の顔が検出されないと、被写体として人物以外の他対象物を撮影する撮影状況にあると判断するハードウェア回路構成の判断回路等のように、この他種々の構成の判断部を広く適用することもできる。
【０３９５】
［２−１４  変形例１４］
さらに上述した実施の形態においては、表示部に表示された複数の人物撮影条件アイコンの表示形態の変更を指示するために用いられる変更指示部として、図１乃至図１１について上述したタッチパネル１５Ａを適用するようにした場合について述べた。
【０３９６】
しかしながら本発明は、これに限らず、ジョイスティックのようなポインティングデバイスや、押下操作又はスライド操作可能なハードウェアキー等のように、この他種々の変更指示部を広く適用することができる。
【０３９７】
［２−１５  変形例１５］
さらに上述した実施の形態においては、表示部に表示された撮影条件アイコンを指示するために用いられるアイコン指示部として、図１乃至図１１について上述したタッチパネル１５Ａを適用するようにした場合について述べた。しかしながら本発明は、これに限らず、ジョイスティックのようなポインティングデバイスのように、この他種々のアイコン指示部を広く適用することができる。
【０３９８】
［２−１６  変形例１６］
さらに上述した実施の形態においては、アイコン指示部を介して撮影条件アイコンが指示されると、当該指示された撮影条件アイコンが示す撮影条件を設定する設定部として、図１乃至図１１について上述したカメラ制御部２０を適用するようにした場合について述べた。
【０３９９】
しかしながら本発明は、これに限らず、マイクロプロセッサやＤＳＰに適用することができる。また本発明は、アイコン指示部を介して撮影条件アイコンが指示されると、当該指示された撮影条件アイコンが示す撮影条件を設定するハードウェア回路構成の設定回路等のように、この他種々の構成の設定部を広く適用することもできる。
【産業上の利用可能性】
【０４００】
本発明は、デジタルスチルカメラやデジタルビデオカメラ、携帯電話機等の撮影条件設定装置に利用することができる。
【符号の説明】
【０４０１】
２……デジタルスチルカメラ、１５……タッチスクリーン、１５Ａ……タッチパネル、１５Ｂ……ディスプレイ、２０……カメラ制御部、２６……レンズ部、２７……撮像素子、２８……アナログ処理部、３０……アナログデジタル変換部、３１……デジタル処理部、３７、４６……撮影状態提示画像、３９乃至４１……人物撮影条件アイコン、４８乃至５１……他対象物撮影条件アイコン、ＲＴ１……撮影条件提示設定処理手順。
【図１】
0005402409.tif 000002
【図２】
0005402409.tif 000003
【図３】
0005402409.tif 000004
【図４】
0005402409.tif 000005
【図５】
0005402409.tif 000006
【図６】
0005402409.tif 000007
【図７】
0005402409.tif 000008
【図８】
0005402409.tif 000009
【図９】
0005402409.tif 000010
【図１０】
0005402409.tif 000011
【図１１】
0005402409.tif 000012